【手続補正書】
【提出日】平成15年10月1日(2003.10.1)
【手続補正１】
【補正対象書類名】明細書
【補正対象項目名】発明の名称
【補正方法】変更
【補正の内容】
【発明の名称】画像形成装置、画像形成システム、画像形成装置の操作方法及び記憶媒体


【手続補正２】
【補正対象書類名】明細書
【補正対象項目名】特許請求の範囲
【補正方法】変更
【補正の内容】
【特許請求の範囲】
【請求項１】
２ページ分の原稿画像を１枚のシートの同一面上に出力する２ｉｎ１モード及び４ページ分の原稿画像を１枚のシートの同一面上に出力する４ｉｎ１モードを含むＮｉｎ１モードを有する画像形成装置であって、
ユーザ操作により押下可能な選択ボタンを具備した操作画面を表示部に表示させる制御手段を有し、
前記制御手段は、
前記２ｉｎ１モードを選択する為の２ｉｎ１モード選択ボタン及び前記４ｉｎ１モードを選択する為の４ｉｎ１モード選択ボタンを含むＮｉｎ１モードにおけるレイアウトの種類をユーザにより選択させる為の選択ボタン、及び、Ｎｉｎ１モードで１枚のシートの同一面上に出力される複数ページの原稿画像の前記1枚のシートの同一面上におけるレイアウト順をユーザにより選択させる為のレイアウト順設定画面を前記表示部に表示させる為の指示を入力する詳細設定ボタン、を、前記表示部に表示させ、
前記表示部で前記２ｉｎ１モード選択ボタンが選択された状態で前記詳細設定ボタンが押下された場合は、
２ページ分の原稿画像の1ページ目をシートの左に２ページ目をシートの右に配置させる第1のレイアウト順を選択する為の第１の選択ボタンと、２ページ分の原稿画像の1ページ目をシートの右に２ページ目をシートの左に配置させる第２のレイアウト順を選択する為の第２の選択ボタンと、を含む、２つの選択ボタンを有するレイアウト順設定画面を前記表示部に表示させ、前記第1、第２の選択ボタンのうちの該レイアウト順設定画面で押下された選択ボタンが示すレイアウト順を前記２ｉｎ１モードにおけるレイアウト順として設定可能し、
前記表示部で前記４ｉｎ１モード選択ボタンが選択された状態で前記詳細設定ボタンが押下された場合は、
４ページ分の原稿画像の1ページ目をシートの左上に２ページ目をシートの右上に３ページ目をシートの左下に４ページ目をシートの右下に配置させる第３のレイアウト順を選択する為の第３の選択ボタンと、４ページ分の原稿画像の1ページ目をシートの右上に２ページ目をシートの左上に３ページ目をシートの右下に４ページ目をシートの左下に配置させる第４のレイアウト順を選択する為の第４の選択ボタンと、４ページ分の原稿画像の1ページ目をシートの左上に２ページ目をシートの左下に３ページ目をシートの右上に４ページ目をシートの右下に配置させる第５のレイアウト順を選択する為の第５の選択ボタンと、４ページ分の原稿画像の1ページ目をシートの右上に２ページ目をシートの右下に３ページ目をシートの左上に４ページ目をシートの左下に配置させる第６のレイアウト順を選択する為の第６の選択ボタンと、を含む、４つの選択ボタンを有するレイアウト順設定画面を前記表示部に表示させ、前記第３、第４、第５、第６の選択ボタンのうちの該レイアウト順設定画面で押下された選択ボタンが示すレイアウト順を前記４ｉｎ１モードにおけるレイアウト順として設定可能にすることを特徴とする画像形成装置。
【請求項２】
原稿１枚から２ページ分の原稿画像を分割して夫々別々のシートに出力する１ｔｏ２モード、原稿1枚から４ページ分の原稿画像を分割して夫々別々のシートに出力する１ｔｏ４モードを含む１ｔｏＮモードを有する画像形成装置であって、
ユーザ操作により押下可能な選択ボタンを具備した操作画面を表示部に表示させる制御手段を有し、
前記制御手段は、
前記１ｔｏ２モードを選択する為の１ｔｏ２モード選択ボタン及び前記１ｔｏ４モードを選択する為の１ｔｏ４モード選択ボタンを含む１ｔｏＮモードにおけるレイアウトの種類をユーザにより選択させる為の選択ボタン、及び、１ｔｏＮモードで原稿１枚から複数枚のシートに分割出力される複数の分割画像の前記複数枚のシートに対する出力順序をユーザにより選択させる為のレイアウト順設定画面を前記表示部に表示させる為の指示を入力する詳細設定ボタン、を、前記表示部に表示させ、
前記表示部で前記１ｔｏ２モード選択ボタンが選択され、前記詳細設定ボタンが押下された場合は、
１枚の原稿の同一面上における左側の画像、右側の画像の順で、２枚のシートに分割出力させる第1の出力順序を選択する為の第１の選択ボタンと、１枚の原稿の同一面上における右側の画像、左側の画像の順で、２枚のシートに分割出力させる第２の出力順序を選択する為の第２の選択ボタンと、を含む、２つの選択ボタンを有するレイアウト順設定画面を前記表示部に表示させ、前記第1、第２の選択ボタンのうちの該レイアウト順設定画面で押下された選択ボタンが示す出力順序を前記１ｔｏ２モードにおける原稿１枚から分割される画像の出力順序として設定可能にし、
前記表示部で前記１ｔｏ４モード選択ボタンが選択され、前記詳細設定ボタンが押下された場合は、
１枚の原稿の同一面上における左上の画像、右上の画像、左下の画像、右下の画像の順で、４枚のシートに分割出力させる第３の出力順序を選択する為の第３の選択ボタンと、１枚の原稿の同一面上における右上の画像、左上の画像、右下の画像、左下の画像の順で、４枚のシートに分割出力させる第４の出力順序を選択する為の第４の選択ボタンと、１枚の原稿の同一面上における左上の画像、左下の画像、右上の画像、右下の画像の順で、４枚のシートに分割出力させる第５の出力順序を選択する為の第５の選択ボタンと、１枚の原稿の同一面上における右上の画像、右下の画像、左上の画像、左下の画像の順で、４枚のシートに分割出力させる第６の出力順序を選択する為の第６の選択ボタンと、を含む、４つの選択ボタンを有するレイアウト順設定画面を前記表示部に表示させ、前記第３、第４、第５、第６の選択ボタンのうちの該レイアウト順設定画面で押下された選択ボタンが示す出力順序を前記１ｔｏ４モードにおける原稿１枚から分割される画像の出力順序として設定可能にし、
更に、
前記表示部で前記１ｔｏ２モード選択ボタンが選択された場合に、
前記１ｔｏ２モードで処理すべき原稿のうちの最終原稿の最終読込み面から１ページ分の画像を１個分割出力させる為の第７の選択ボタンと、前記１ｔｏ２モードで処理すべき原稿のうちの最終原稿の最終読込み面から１ページ分の画像を２個分割出力させる為の第８の選択ボタンと、を含む、２つの選択ボタンを有する最終原稿レイアウト設定画面を前記表示部に表示させ、前記第７、第８の選択ボタンのうちの該最終原稿レイアウト設定画面で押下された選択ボタンが示す画像の数を前記１ｔｏ２モードにおける最終原稿の最終読込み面から分割出力させる画像の数として設定可能にし、
前記表示部で前記１ｔｏ４モード選択ボタンが選択された場合に、
前記１ｔｏ４モードで処理すべき原稿のうちの最終原稿の最終読込み面から１ページ分の画像を１個分割出力させる為の第９の選択ボタンと、前記１ｔｏ４モードで処理すべき原稿のうちの最終原稿の最終読込み面から１ページ分の画像を２個分割出力させる為の第１０の選択ボタンと、前記１ｔｏ４モードで処理すべき原稿のうちの最終原稿の最終読込み面から１ページ分の画像を３個分割出力させる為の第１１の選択ボタンと、前記１ｔｏ４モードで処理すべき原稿のうちの最終原稿の最終読込み面から１ページ分の画像を４個分割出力させる為の第１２の選択ボタンと、を含む、４つの選択ボタンを有する最終原稿レイアウト設定画面を前記表示部に表示させ、前記第９、第１０、第１１、第１２の選択ボタンのうちの該最終原稿レイアウト設定画面で押下された選択ボタンが示す画像の数を前記１ｔｏ４モードにおける最終原稿の最終読込み面から分割出力させる画像の数として設定可能にすることを特徴とする画像形成装置。
【請求項３】
４ページ分の原稿画像を１枚のシートの同一面上に出力する４ｉｎ１モードを含むＮｉｎ１モードと、原稿1枚から４ページ分の原稿画像を分割して夫々別々のシートに出力する１ｔｏ４モードを含む１ｔｏＮモードと、を有する画像形成装置であって、
ユーザ操作により押下可能な選択ボタンを具備した操作画面を選択的に表示部に表示させる制御手段を有し、
前記制御手段は、
前記４ｉｎ１モードを選択する為の４ｉｎ１モード選択ボタンを含むＮｉｎ１モードにおけるレイアウトの種類をユーザにより選択させる為の選択ボタン、及び、前記１ｔｏ４モードを選択する為の１ｔｏ４モード選択ボタンを含む１ｔｏＮモードにおけるレイアウトの種類をユーザにより選択させる為の選択ボタン、及び、各モードにおける詳細設定を行う為の設定画面を前記表示部に表示させる為の指示を入力する為の詳細設定ボタン、を、前記表示部に表示させ、
前記表示部で１ｔｏ４モード選択ボタンが選択されて、前記詳細設定ボタンが押下された場合に、
１枚の原稿の同一面上における左上の画像、右上の画像、左下の画像、右下の画像の順で、４枚のシートに分割出力させる第１の出力順序を選択する為の第１の選択ボタンと、１枚の原稿の同一面上における右上の画像、左上の画像、右下の画像、左下の画像の順で、４枚のシートに分割出力させる第２の出力順序を選択する為の第２の選択ボタンと、１枚の原稿の同一面上における左上の画像、左下の画像、右上の画像、右下の画像の順で、４枚のシートに分割出力させる第３の出力順序を選択する為の第３の選択ボタンと、１枚の原稿の同一面上における右上の画像、右下の画像、左上の画像、左下の画像の順で、４枚のシートに分割出力させる第４の出力順序を選択する為の第４の選択ボタンと、を含む、４つの選択ボタンを有する設定画面を前記表示部に表示させ、前記第１、第２、第３、第４の選択ボタンのうちの該設定画面で押下された選択ボタンが示す出力順序を前記１ｔｏ４モードにおける原稿１枚から分割される画像の出力順序として設定可能にし、
前記表示部で前記４ｉｎ１モード選択ボタンが選択されて、前記詳細設定ボタンが押下された場合は、
４ページ分の原稿画像の1ページ目をシートの左上に２ページ目をシートの右上に３ページ目をシートの左下に４ページ目をシートの右下に配置させる第1のレイアウト順を選択する為の第５の選択ボタンと、４ページ分の原稿画像の1ページ目をシートの右上に２ページ目をシートの左上に３ページ目をシートの右下に４ページ目をシートの左下に配置させる第２のレイアウト順を選択する為の第６の選択ボタンと、４ページ分の原稿画像の1ページ目をシートの左上に２ページ目をシートの左下に３ページ目をシートの右上に４ページ目をシートの右下に配置させる第３のレイアウト順を選択する為の第７の選択ボタンと、４ページ分の原稿画像の1ページ目をシートの右上に２ページ目をシートの右下に３ページ目をシートの左上に４ページ目をシートの左下に配置させる第４のレイアウト順を選択する為の第８の選択ボタンと、を含む４つの選択ボタンと共に、原稿向き自動検知を行うか否かをユーザにより選択可能にする為の原稿向き検知ボタンと、を有する設定画面を前記表示部に表示させ、前記第５、第６、第７、第８の選択ボタンのうちの該設定画面で押下された選択ボタンが示すレイアウト順を前記４ｉｎ１モードにおけるレイアウト順として設定可能にすると共に、前設定画面の前記原稿向き検知ボタンの押下により、前記４ｉｎ１モードで処理すべき原稿画像の向きを自動検知する設定と前記４ｉｎ１モードで処理すべき原稿画像の向きを自動検知しない設定とを切替可能にすることを特徴とする画像形成装置。
【請求項４】
前記画像形成装置は、原稿画像を読取る読取手段と、前記読取手段により読取った画像を処理する画像処理手段と、外部装置から入力されたプリントデータからラスターイメージデータに変換する為の外部Ｉ／Ｆ処理手段と、前記読取手段及び前記画像処理手段及び前記外部Ｉ／Ｆ処理手段に接続され、複数の原稿画像データを記憶可能なメモリを有する画像メモリ手段と、前記画像メモリ手段に接続され、前記画像メモリ手段からの画像データをプリントするプリント手段と、を有することを特徴とする請求項１乃至３の何れかに記載の画像形成装置。
【請求項５】
前記画像形成装置は、前記読取手段で読取った画像に基づいて前記プリンタ手段でプリントするコピー機能と、前記外部装置からの入力されたデータに基づいて前記プリンタ部でプリントするプリント機能と、前記読取手段で読取った画像を前記外部装置に送信する画像スキャナ機能と、を有し、
前記画像スキャナ機能を行う際に、前記外部Ｉ／Ｆ手段は、前記画像メモリ手段から送られる画像データを前記外部Ｉ／Ｆ手段が具備するイメージメモリ部に一度展開し、前記外部装置に送るデータの形式に変換して、前記外部装置にデータ送出を行うことを特徴とする請求項４記載の画像形成装置。
【請求項６】
前記表示部に表示される選択ボタンを介してユーザにより選択されたレイアウトの設定情報をメモリに記憶させることを特徴とする請求項１乃至請求項５記載の画像形成装置。
【請求項７】
前記画像形成装置は、読み込んだ画像の方向を判別する画像方向判別手段と、前記画像を回転させる画像回転手段と、前記画像をプリントするプリント手段を有し、
前記表示部で前記４ｉｎ１モード選択ボタンが選択され、且つ、前記表示部における原稿向き自動検知を行うか否かをユーザにより選択可能にする為の原稿向き検知ボタンの押下により、前記４ｉｎ１モードで処理すべき原稿画像の向きを自動検知する設定がなされた場合に、前記４ｉｎ１モードで処理すべき原稿画像の向きを前記画像方向判別手段により判別させ、各原稿画像を１ページ目の原稿画像の向きに合わせるように前記画像回転手段により回転させ、前表示部で押下された選択ボタンで示されるレイアウト順で前記４ｉｎ１モードの原稿画像を１枚のシートにレイアウトして前記プリンタ手段によりプリントさせることを特徴とする請求項１又は３記載の画像形成装置。
【請求項８】
前記制御手段は、
パンフレットを作成する時に適した順序でプリントを行うパンフレットモードを選択する為の製本ボタンを前記表示部に表示可能とし、
前記表示部にて前記製本ボタンが押下された場合には、前記表示部における前記Ｎｉｎ１モードにおけるレイアウト順の設定を禁止することを特徴とする請求項１又は３記載の画像形成装置。
【請求項９】
２ページ分の原稿画像を１枚のシートの同一面上に出力する２ｉｎ１モード及び４ページ分の原稿画像を１枚のシートの同一面上に出力する４ｉｎ１モードを含むＮｉｎ１モードを有する画像形成装置と、前記画像形成装置に接続された外部装置とを備えた画像形成システムであって、
ユーザ操作により押下可能な選択ボタンを具備した操作画面を表示部に表示可能とし、
前記２ｉｎ１モードを選択する為の２ｉｎ１モード選択ボタン及び前記４ｉｎ１モードを選択する為の４ｉｎ１モード選択ボタンを含むＮｉｎ１モードにおけるレイアウトの種類をユーザにより選択させる為の選択ボタン、及び、Ｎｉｎ１モードで１枚のシートの同一面上に出力される複数ページの原稿画像の前記1枚のシートの同一面上におけるレイアウト順をユーザにより選択させる為のレイアウト順設定画面を前記表示部に表示させる為の指示を入力する詳細設定ボタン、を、前記表示部に表示させ、
前記表示部で前記２ｉｎ１モード選択ボタンが選択された状態で前記詳細設定ボタンが押下された場合は、
２ページ分の原稿画像の1ページ目をシートの左に２ページ目をシートの右に配置させる第1のレイアウト順を選択する為の第１の選択ボタンと、２ページ分の原稿画像の1ページ目をシートの右に２ページ目をシートの左に配置させる第２のレイアウト順を選択する為の第２の選択ボタンと、を含む、２つの選択ボタンを有するレイアウト順設定画面を前記表示部に表示させ、前記第1、第２の選択ボタンのうちの該レイアウト順設定画面で押下された選択ボタンが示すレイアウト順を前記２ｉｎ１モードにおけるレイアウト順として設定可能し、
前記表示部で前記４ｉｎ１モード選択ボタンが選択された状態で前記詳細設定ボタンが押下された場合は、
４ページ分の原稿画像の1ページ目をシートの左上に２ページ目をシートの右上に３ページ目をシートの左下に４ページ目をシートの右下に配置させる第３のレイアウト順を選択する為の第３の選択ボタンと、４ページ分の原稿画像の1ページ目をシートの右上に２ページ目をシートの左上に３ページ目をシートの右下に４ページ目をシートの左下に配置させる第４のレイアウト順を選択する為の第４の選択ボタンと、４ページ分の原稿画像の1ページ目をシートの左上に２ページ目をシートの左下に３ページ目をシートの右上に４ページ目をシートの右下に配置させる第５のレイアウト順を選択する為の第５の選択ボタンと、４ページ分の原稿画像の1ページ目をシートの右上に２ページ目をシートの右下に３ページ目をシートの左上に４ページ目をシートの左下に配置させる第６のレイアウト順を選択する為の第６の選択ボタンと、を含む、４つの選択ボタンを有するレイアウト順設定画面を前記表示部に表示させ、前記第３、第４、第５、第６の選択ボタンのうちの該レイアウト順設定画面で押下された選択ボタンが示すレイアウト順を前記４ｉｎ１モードにおけるレイアウト順として設定可能にすることを特徴とする画像形成システム。
【請求項１０】
原稿１枚から２ページ分の原稿画像を分割して夫々別々のシートに出力する１ｔｏ２モード、原稿1枚から４ページ分の原稿画像を分割して夫々別々のシートに出力する１ｔｏ４モードを含む１ｔｏＮモードを有する画像形成装置と、前記画像形成装置に接続された外部装置とを備えた画像形成システムであって、
ユーザ操作により押下可能な選択ボタンを具備した操作画面を選択的に表示部に表示可能とし、
前記１ｔｏ２モードを選択する為の１ｔｏ２モード選択ボタン及び前記１ｔｏ４モードを選択する為の１ｔｏ４モード選択ボタンを含む１ｔｏＮモードにおけるレイアウトの種類をユーザにより選択させる為の選択ボタン、及び、１ｔｏＮモードで原稿１枚から複数枚のシートに分割出力される複数の分割画像の前記複数枚のシートに対する出力順序をユーザにより選択させる為のレイアウト順設定画面を前記表示部に表示させる為の指示を入力する詳細設定ボタン、を、前記表示部に表示させ、
前記表示部で前記１ｔｏ２モード選択ボタンが選択され、前記詳細設定ボタンが押下された場合は、
１枚の原稿の同一面上における左側の画像、右側の画像の順で、２枚のシートに分割出力させる第1の出力順序を選択する為の第１の選択ボタンと、１枚の原稿の同一面上における右側の画像、左側の画像の順で、２枚のシートに分割出力させる第２の出力順序を選択する為の第２の選択ボタンと、を含む、２つの選択ボタンを有するレイアウト順設定画面を前記表示部に表示させ、前記第1、第２の選択ボタンのうちの該レイアウト順設定画面で押下された選択ボタンが示す出力順序を前記１ｔｏ２モードにおける原稿１枚から分割される画像の出力順序として設定可能にし、
前記表示部で前記１ｔｏ４モード選択ボタンが選択され、前記詳細設定ボタンが押下された場合は、
１枚の原稿の同一面上における左上の画像、右上の画像、左下の画像、右下の画像の順で、４枚のシートに分割出力させる第３の出力順序を選択する為の第３の選択ボタンと、１枚の原稿の同一面上における右上の画像、左上の画像、右下の画像、左下の画像の順で、４枚のシートに分割出力させる第４の出力順序を選択する為の第４の選択ボタンと、１枚の原稿の同一面上における左上の画像、左下の画像、右上の画像、右下の画像の順で、４枚のシートに分割出力させる第５の出力順序を選択する為の第５の選択ボタンと、１枚の原稿の同一面上における右上の画像、右下の画像、左上の画像、左下の画像の順で、４枚のシートに分割出力させる第６の出力順序を選択する為の第６の選択ボタンと、を含む、４つの選択ボタンを有するレイアウト順設定画面を前記表示部に表示させ、前記第３、第４、第５、第６の選択ボタンのうちの該レイアウト順設定画面で押下された選択ボタンが示す出力順序を前記１ｔｏ４モードにおける原稿１枚から分割される画像の出力順序として設定可能にし、
更に、
前記表示部で前記１ｔｏ２モード選択ボタンが選択された場合に、
前記１ｔｏ２モードで処理すべき原稿のうちの最終原稿の最終読込み面から１ページ分の画像を１個分割出力させる為の第７の選択ボタンと、前記１ｔｏ２モードで処理すべき原稿のうちの最終原稿の最終読込み面から１ページ分の画像を２個分割出力させる為の第８の選択ボタンと、を含む、２つの選択ボタンを有する最終原稿レイアウト設定画面を前記表示部に表示させ、前記第７、第８の選択ボタンのうちの該最終原稿レイアウト設定画面で押下された選択ボタンが示す画像の数を前記１ｔｏ２モードにおける最終原稿の最終読込み面から分割出力させる画像の数として設定可能にし、
前記表示部で前記１ｔｏ４モード選択ボタンが選択された場合に、
前記１ｔｏ４モードで処理すべき原稿のうちの最終原稿の最終読込み面から１ページ分の画像を１個分割出力させる為の第９の選択ボタンと、前記１ｔｏ４モードで処理すべき原稿のうちの最終原稿の最終読込み面から１ページ分の画像を２個分割出力させる為の第１０の選択ボタンと、前記１ｔｏ４モードで処理すべき原稿のうちの最終原稿の最終読込み面から１ページ分の画像を３個分割出力させる為の第１１の選択ボタンと、前記１ｔｏ４モードで処理すべき原稿のうちの最終原稿の最終読込み面から１ページ分の画像を４個分割出力させる為の第１２の選択ボタンと、を含む、４つの選択ボタンを有する最終原稿レイアウト設定画面を前記表示部に表示させ、前記第９、第１０、第１１、第１２の選択ボタンのうちの該最終原稿レイアウト設定画面で押下された選択ボタンが示す画像の数を前記１ｔｏ４モードにおける最終原稿の最終読込み面から分割出力させる画像の数として設定可能にすることを特徴とする画像形成システム。
【請求項１１】
４ページ分の原稿画像を１枚のシートの同一面上に出力する４ｉｎ１モードを含むＮｉｎ１モードと、原稿1枚から４ページ分の原稿画像を分割して夫々別々のシートに出力する１ｔｏ４モードを含む１ｔｏＮモードと、を有する画像形成装置と、前記画像形成装置に接続された外部装置とを備えた画像形成システムであって、
ユーザ操作により押下可能な選択ボタンを具備した操作画面を選択的に表示部に表示可能とし、
前記４ｉｎ１モードを選択する為の４ｉｎ１モード選択ボタンを含むＮｉｎ１モードにおけるレイアウトの種類をユーザにより選択させる為の選択ボタン、及び、前記１ｔｏ４モードを選択する為の１ｔｏ４モード選択ボタンを含む１ｔｏＮモードにおけるレイアウトの種類をユーザにより選択させる為の選択ボタン、及び、各モードにおける詳細設定を行う為の設定画面を前記表示部に表示させる為の指示を入力する為の詳細設定ボタン、を、前記表示部に表示させ、
前記表示部で１ｔｏ４モード選択ボタンが選択されて、前記詳細設定ボタンが押下された場合に、
１枚の原稿の同一面上における左上の画像、右上の画像、左下の画像、右下の画像の順で、４枚のシートに分割出力させる第１の出力順序を選択する為の第１の選択ボタンと、１枚の原稿の同一面上における右上の画像、左上の画像、右下の画像、左下の画像の順で、４枚のシートに分割出力させる第２の出力順序を選択する為の第２の選択ボタンと、１枚の原稿の同一面上における左上の画像、左下の画像、右上の画像、右下の画像の順で、４枚のシートに分割出力させる第３の出力順序を選択する為の第３の選択ボタンと、１枚の原稿の同一面上における右上の画像、右下の画像、左上の画像、左下の画像の順で、４枚のシートに分割出力させる第４の出力順序を選択する為の第４の選択ボタンと、を含む、４つの選択ボタンを有する設定画面を前記表示部に表示させ、前記第１、第２、第３、第４の選択ボタンのうちの該設定画面で押下された選択ボタンが示す出力順序を前記１ｔｏ４モードにおける原稿１枚から分割される画像の出力順序として設定可能にし、
前記表示部で前記４ｉｎ１モード選択ボタンが選択されて、前記詳細設定ボタンが押下された場合は、
４ページ分の原稿画像の1ページ目をシートの左上に２ページ目をシートの右上に３ページ目をシートの左下に４ページ目をシートの右下に配置させる第1のレイアウト順を選択する為の第５の選択ボタンと、４ページ分の原稿画像の1ページ目をシートの右上に２ページ目をシートの左上に３ページ目をシートの右下に４ページ目をシートの左下に配置させる第２のレイアウト順を選択する為の第６の選択ボタンと、４ページ分の原稿画像の1ページ目をシートの左上に２ページ目をシートの左下に３ページ目をシートの右上に４ページ目をシートの右下に配置させる第３のレイアウト順を選択する為の第７の選択ボタンと、４ページ分の原稿画像の1ページ目をシートの右上に２ページ目をシートの右下に３ページ目をシートの左上に４ページ目をシートの左下に配置させる第４のレイアウト順を選択する為の第８の選択ボタンと、を含む４つの選択ボタンと共に、原稿向き自動検知を行うか否かをユーザにより選択可能にする為の原稿向き検知ボタンと、を有する設定画面を前記表示部に表示させ、前記第５、第６、第７、第８の選択ボタンのうちの該設定画面で押下された選択ボタンが示すレイアウト順を前記４ｉｎ１モードにおけるレイアウト順として設定可能にすると共に、前設定画面の前記原稿向き検知ボタンの押下により、前記４ｉｎ１モードで処理すべき原稿画像の向きを自動検知する設定と前記４ｉｎ１モードで処理すべき原稿画像の向きを自動検知しない設定とを切替可能にすることを特徴とする画像形成システム。
【請求項１２】
２ページ分の原稿画像を１枚のシートの同一面上に出力する２ｉｎ１モード及び４ページ分の原稿画像を１枚のシートの同一面上に出力する４ｉｎ１モードを含むＮｉｎ１モードを有する画像形成装置の操作方法であって、
ユーザ操作により押下可能な選択ボタンを具備した操作画面を表示部に表示させる制御ステップを有し、
前記制御ステップは、
前記２ｉｎ１モードを選択する為の２ｉｎ１モード選択ボタン及び前記４ｉｎ１モードを選択する為の４ｉｎ１モード選択ボタンを含むＮｉｎ１モードにおけるレイアウトの種類をユーザにより選択させる為の選択ボタン、及び、Ｎｉｎ１モードで１枚のシートの同一面上に出力される複数ページの原稿画像の前記1枚のシートの同一面上におけるレイアウト順をユーザにより選択させる為のレイアウト順設定画面を前記表示部に表示させる為の指示を入力する詳細設定ボタン、を、前記表示部に表示させ、
前記表示部で前記２ｉｎ１モード選択ボタンが選択された状態で前記詳細設定ボタンが押下された場合は、
２ページ分の原稿画像の1ページ目をシートの左に２ページ目をシートの右に配置させる第1のレイアウト順を選択する為の第１の選択ボタンと、２ページ分の原稿画像の1ページ目をシートの右に２ページ目をシートの左に配置させる第２のレイアウト順を選択する為の第２の選択ボタンと、を含む、２つの選択ボタンを有するレイアウト順設定画面を前記表示部に表示させ、前記第1、第２の選択ボタンのうちの該レイアウト順設定画面で押下された選択ボタンが示すレイアウト順を前記２ｉｎ１モードにおけるレイアウト順として設定可能し、
前記表示部で前記４ｉｎ１モード選択ボタンが選択された状態で前記詳細設定ボタンが押下された場合は、
４ページ分の原稿画像の1ページ目をシートの左上に２ページ目をシートの右上に３ページ目をシートの左下に４ページ目をシートの右下に配置させる第３のレイアウト順を選択する為の第３の選択ボタンと、４ページ分の原稿画像の1ページ目をシートの右上に２ページ目をシートの左上に３ページ目をシートの右下に４ページ目をシートの左下に配置させる第４のレイアウト順を選択する為の第４の選択ボタンと、４ページ分の原稿画像の1ページ目をシートの左上に２ページ目をシートの左下に３ページ目をシートの右上に４ページ目をシートの右下に配置させる第５のレイアウト順を選択する為の第５の選択ボタンと、４ページ分の原稿画像の1ページ目をシートの右上に２ページ目をシートの右下に３ページ目をシートの左上に４ページ目をシートの左下に配置させる第６のレイアウト順を選択する為の第６の選択ボタンと、を含む、４つの選択ボタンを有するレイアウト順設定画面を前記表示部に表示させ、前記第３、第４、第５、第６の選択ボタンのうちの該レイアウト順設定画面で押下された選択ボタンが示すレイアウト順を前記４ｉｎ１モードにおけるレイアウト順として設定可能にすることを特徴とする画像形成装置の操作方法。
【請求項１３】
原稿１枚から２ページ分の原稿画像を分割して夫々別々のシートに出力する１ｔｏ２モード、原稿1枚から４ページ分の原稿画像を分割して夫々別々のシートに出力する１ｔｏ４モードを含む１ｔｏＮモードを有する画像形成装置の操作方法であって、
ユーザ操作により押下可能な選択ボタンを具備した操作画面を表示部に表示させる制御ステップを有し、
前記制御ステップは、
前記１ｔｏ２モードを選択する為の１ｔｏ２モード選択ボタン及び前記１ｔｏ４モードを選択する為の１ｔｏ４モード選択ボタンを含む１ｔｏＮモードにおけるレイアウトの種類をユーザにより選択させる為の選択ボタン、及び、１ｔｏＮモードで原稿１枚から複数枚のシートに分割出力される複数の分割画像の前記複数枚のシートに対する出力順序をユーザにより選択させる為のレイアウト順設定画面を前記表示部に表示させる為の指示を入力する詳細設定ボタン、を、前記表示部に表示させ、
前記表示部で前記１ｔｏ２モード選択ボタンが選択され、前記詳細設定ボタンが押下された場合は、
１枚の原稿の同一面上における左側の画像、右側の画像の順で、２枚のシートに分割出力させる第1の出力順序を選択する為の第１の選択ボタンと、１枚の原稿の同一面上における右側の画像、左側の画像の順で、２枚のシートに分割出力させる第２の出力順序を選択する為の第２の選択ボタンと、を含む、２つの選択ボタンを有するレイアウト順設定画面を前記表示部に表示させ、前記第1、第２の選択ボタンのうちの該レイアウト順設定画面で押下された選択ボタンが示す出力順序を前記１ｔｏ２モードにおける原稿１枚から分割される画像の出力順序として設定可能にし、
前記表示部で前記１ｔｏ４モード選択ボタンが選択され、前記詳細設定ボタンが押下された場合は、
１枚の原稿の同一面上における左上の画像、右上の画像、左下の画像、右下の画像の順で、４枚のシートに分割出力させる第３の出力順序を選択する為の第３の選択ボタンと、１枚の原稿の同一面上における右上の画像、左上の画像、右下の画像、左下の画像の順で、４枚のシートに分割出力させる第４の出力順序を選択する為の第４の選択ボタンと、１枚の原稿の同一面上における左上の画像、左下の画像、右上の画像、右下の画像の順で、４枚のシートに分割出力させる第５の出力順序を選択する為の第５の選択ボタンと、１枚の原稿の同一面上における右上の画像、右下の画像、左上の画像、左下の画像の順で、４枚のシートに分割出力させる第６の出力順序を選択する為の第６の選択ボタンと、を含む、４つの選択ボタンを有するレイアウト順設定画面を前記表示部に表示させ、前記第３、第４、第５、第６の選択ボタンのうちの該レイアウト順設定画面で押下された選択ボタンが示す出力順序を前記１ｔｏ４モードにおける原稿１枚から分割される画像の出力順序として設定可能にし、
更に、
前記表示部で前記１ｔｏ２モード選択ボタンが選択された場合に、
前記１ｔｏ２モードで処理すべき原稿のうちの最終原稿の最終読込み面から１ページ分の画像を１個分割出力させる為の第７の選択ボタンと、前記１ｔｏ２モードで処理すべき原稿のうちの最終原稿の最終読込み面から１ページ分の画像を２個分割出力させる為の第８の選択ボタンと、を含む、２つの選択ボタンを有する最終原稿レイアウト設定画面を前記表示部に表示させ、前記第７、第８の選択ボタンのうちの該最終原稿レイアウト設定画面で押下された選択ボタンが示す画像の数を前記１ｔｏ２モードにおける最終原稿の最終読込み面から分割出力させる画像の数として設定可能にし、
前記表示部で前記１ｔｏ４モード選択ボタンが選択された場合に、
前記１ｔｏ４モードで処理すべき原稿のうちの最終原稿の最終読込み面から１ページ分の画像を１個分割出力させる為の第９の選択ボタンと、前記１ｔｏ４モードで処理すべき原稿のうちの最終原稿の最終読込み面から１ページ分の画像を２個分割出力させる為の第１０の選択ボタンと、前記１ｔｏ４モードで処理すべき原稿のうちの最終原稿の最終読込み面から１ページ分の画像を３個分割出力させる為の第１１の選択ボタンと、前記１ｔｏ４モードで処理すべき原稿のうちの最終原稿の最終読込み面から１ページ分の画像を４個分割出力させる為の第１２の選択ボタンと、を含む、４つの選択ボタンを有する最終原稿レイアウト設定画面を前記表示部に表示させ、前記第９、第１０、第１１、第１２の選択ボタンのうちの該最終原稿レイアウト設定画面で押下された選択ボタンが示す画像の数を前記１ｔｏ４モードにおける最終原稿の最終読込み面から分割出力させる画像の数として設定可能にすることを特徴とする画像形成装置の操作方法。
【請求項１４】
４ページ分の原稿画像を１枚のシートの同一面上に出力する４ｉｎ１モードを含むＮｉｎ１モードと、原稿1枚から４ページ分の原稿画像を分割して夫々別々のシートに出力する１ｔｏ４モードを含む１ｔｏＮモードと、を有する画像形成装置の操作方法であって、
ユーザ操作により押下可能な選択ボタンを具備した操作画面を選択的に表示部に表示させる制御ステップを有し、
前記制御ステップは、
前記４ｉｎ１モードを選択する為の４ｉｎ１モード選択ボタンを含むＮｉｎ１モードにおけるレイアウトの種類をユーザにより選択させる為の選択ボタン、及び、前記１ｔｏ４モードを選択する為の１ｔｏ４モード選択ボタンを含む１ｔｏＮモードにおけるレイアウトの種類をユーザにより選択させる為の選択ボタン、及び、各モードにおける詳細設定を行う為の設定画面を前記表示部に表示させる為の指示を入力する為の詳細設定ボタン、を、前記表示部に表示させ、
前記表示部で１ｔｏ４モード選択ボタンが選択されて、前記詳細設定ボタンが押下された場合に、
１枚の原稿の同一面上における左上の画像、右上の画像、左下の画像、右下の画像の順で、４枚のシートに分割出力させる第１の出力順序を選択する為の第１の選択ボタンと、１枚の原稿の同一面上における右上の画像、左上の画像、右下の画像、左下の画像の順で、４枚のシートに分割出力させる第２の出力順序を選択する為の第２の選択ボタンと、１枚の原稿の同一面上における左上の画像、左下の画像、右上の画像、右下の画像の順で、４枚のシートに分割出力させる第３の出力順序を選択する為の第３の選択ボタンと、１枚の原稿の同一面上における右上の画像、右下の画像、左上の画像、左下の画像の順で、４枚のシートに分割出力させる第４の出力順序を選択する為の第４の選択ボタンと、を含む、４つの選択ボタンを有する設定画面を前記表示部に表示させ、前記第１、第２、第３、第４の選択ボタンのうちの該設定画面で押下された選択ボタンが示す出力順序を前記１ｔｏ４モードにおける原稿１枚から分割される画像の出力順序として設定可能にし、
前記表示部で前記４ｉｎ１モード選択ボタンが選択されて、前記詳細設定ボタンが押下された場合は、
４ページ分の原稿画像の1ページ目をシートの左上に２ページ目をシートの右上に３ページ目をシートの左下に４ページ目をシートの右下に配置させる第1のレイアウト順を選択する為の第５の選択ボタンと、４ページ分の原稿画像の1ページ目をシートの右上に２ページ目をシートの左上に３ページ目をシートの右下に４ページ目をシートの左下に配置させる第２のレイアウト順を選択する為の第６の選択ボタンと、４ページ分の原稿画像の1ページ目をシートの左上に２ページ目をシートの左下に３ページ目をシートの右上に４ページ目をシートの右下に配置させる第３のレイアウト順を選択する為の第７の選択ボタンと、４ページ分の原稿画像の1ページ目をシートの右上に２ページ目をシートの右下に３ページ目をシートの左上に４ページ目をシートの左下に配置させる第４のレイアウト順を選択する為の第８の選択ボタンと、を含む４つの選択ボタンと共に、原稿向き自動検知を行うか否かをユーザにより選択可能にする為の原稿向き検知ボタンと、を有する設定画面を前記表示部に表示させ、前記第５、第６、第７、第８の選択ボタンのうちの該設定画面で押下された選択ボタンが示すレイアウト順を前記４ｉｎ１モードにおけるレイアウト順として設定可能にすると共に、前設定画面の前記原稿向き検知ボタンの押下により、前記４ｉｎ１モードで処理すべき原稿画像の向きを自動検知する設定と前記４ｉｎ１モードで処理すべき原稿画像の向きを自動検知しない設定とを切替可能にすることを特徴とする画像形成装置の操作方法。
【請求項１５】
前記画像形成装置は、原稿画像を読取る読取手段と、前記読取手段により読取った画像を処理する画像処理手段と、外部装置から入力されたプリントデータからラスターイメージデータに変換する為の外部Ｉ／Ｆ処理手段と、前記読取手段及び前記画像処理手段及び前記外部Ｉ／Ｆ処理手段に接続され、複数の原稿画像データを記憶可能なメモリを有する画像メモリ手段と、前記画像メモリ手段に接続され、前記画像メモリ手段からの画像データをプリントするプリント手段と、を有することを特徴とする請求項１２乃至１４の何れかに記載の画像形成装置の操作方法。
【請求項１６】
前記画像形成装置は、前記読取手段で読取った画像に基づいて前記プリンタ手段でプリントするコピー機能と、前記外部装置からの入力されたデータに基づいて前記プリンタ部でプリントするプリント機能と、前記読取手段で読取った画像を前記外部装置に送信する画像スキャナ機能と、を有し、
前記画像スキャナ機能を行う際に、前記外部Ｉ／Ｆ手段により、前記画像メモリ手段から送られる画像データを前記外部Ｉ／Ｆ手段が具備するイメージメモリ部に一度展開させ、前記外部装置に送るデータの形式に変換して、前記外部装置にデータ送出を行わせることを特徴とする請求項１５記載の画像形成装置の操作方法。
【請求項１７】
前記表示部に表示される選択ボタンを介してユーザにより選択されたレイアウトの設定情報をメモリに記憶させることを特徴とする請求項１２乃至請求項１６の何れかに記載の画像形成装置の操作方法。
【請求項１８】
前記画像形成装置は、読み込んだ画像の方向を判別する画像方向判別手段と、前記画像を回転させる画像回転手段と、前記画像をプリントするプリント手段を有し、
前記表示部で前記４ｉｎ１モード選択ボタンが選択され、且つ、前記表示部における原稿向き自動検知を行うか否かをユーザにより選択可能にする為の原稿向き検知ボタンの押下により、前記４ｉｎ１モードで処理すべき原稿画像の向きを自動検知する設定がなされた場合に、前記４ｉｎ１モードで処理すべき原稿画像の向きを前記画像方向判別手段により判別させ、各原稿画像を１ページ目の原稿画像の向きに合わせるように前記画像回転手段により回転させ、前表示部で押下された選択ボタンで示されるレイアウト順で前記４ｉｎ１モードの原稿画像を１枚のシートにレイアウトして前記プリンタ手段によりプリントさせることを特徴とする請求項１２又は１４記載の画像形成装置の操作方法。
【請求項１９】
前記制御ステップは、
パンフレットを作成する時に適した順序でプリントを行うパンフレットモードを選択する為の製本ボタンを前記表示部に表示可能とし、
前記表示部にて前記製本ボタンが押下された場合には、前記表示部における前記Ｎｉｎ１モードにおけるレイアウト順の設定を禁止することを特徴とする請求項１２又は１４記載の画像形成装置の操作方法。
【請求項２０】
２ページ分の原稿画像を１枚のシートの同一面上に出力する２ｉｎ１モード及び４ページ分の原稿画像を１枚のシートの同一面上に出力する４ｉｎ１モードを含むＮｉｎ１モードを有する画像形成装置の操作方法を実行する、コンピュータ読み出し可能なプログラムを記憶した記憶媒体であって、
前記方法は、ユーザ操作により押下可能な選択ボタンを具備した操作画面を表示部に表示させる制御ステップを有し、
前記制御ステップは、
前記２ｉｎ１モードを選択する為の２ｉｎ１モード選択ボタン及び前記４ｉｎ１モードを選択する為の４ｉｎ１モード選択ボタンを含むＮｉｎ１モードにおけるレイアウトの種類をユーザにより選択させる為の選択ボタン、及び、Ｎｉｎ１モードで１枚のシートの同一面上に出力される複数ページの原稿画像の前記1枚のシートの同一面上におけるレイアウト順をユーザにより選択させる為のレイアウト順設定画面を前記表示部に表示させる為の指示を入力する詳細設定ボタン、を、前記表示部に表示させ、
前記表示部で前記２ｉｎ１モード選択ボタンが選択された状態で前記詳細設定ボタンが押下された場合は、
２ページ分の原稿画像の1ページ目をシートの左に２ページ目をシートの右に配置させる第1のレイアウト順を選択する為の第１の選択ボタンと、２ページ分の原稿画像の1ページ目をシートの右に２ページ目をシートの左に配置させる第２のレイアウト順を選択する為の第２の選択ボタンと、を含む、２つの選択ボタンを有するレイアウト順設定画面を前記表示部に表示させ、前記第1、第２の選択ボタンのうちの該レイアウト順設定画面で押下された選択ボタンが示すレイアウト順を前記２ｉｎ１モードにおけるレイアウト順として設定可能し、
前記表示部で前記４ｉｎ１モード選択ボタンが選択された状態で前記詳細設定ボタンが押下された場合は、
４ページ分の原稿画像の1ページ目をシートの左上に２ページ目をシートの右上に３ページ目をシートの左下に４ページ目をシートの右下に配置させる第３のレイアウト順を選択する為の第３の選択ボタンと、４ページ分の原稿画像の1ページ目をシートの右上に２ページ目をシートの左上に３ページ目をシートの右下に４ページ目をシートの左下に配置させる第４のレイアウト順を選択する為の第４の選択ボタンと、４ページ分の原稿画像の1ページ目をシートの左上に２ページ目をシートの左下に３ページ目をシートの右上に４ページ目をシートの右下に配置させる第５のレイアウト順を選択する為の第５の選択ボタンと、４ページ分の原稿画像の1ページ目をシートの右上に２ページ目をシートの右下に３ページ目をシートの左上に４ページ目をシートの左下に配置させる第６のレイアウト順を選択する為の第６の選択ボタンと、を含む、４つの選択ボタンを有するレイアウト順設定画面を前記表示部に表示させ、前記第３、第４、第５、第６の選択ボタンのうちの該レイアウト順設定画面で押下された選択ボタンが示すレイアウト順を前記４ｉｎ１モードにおけるレイアウト順として設定可能にすることを特徴とする記憶媒体。
【請求項２１】
原稿１枚から２ページ分の原稿画像を分割して夫々別々のシートに出力する１ｔｏ２モード、原稿1枚から４ページ分の原稿画像を分割して夫々別々のシートに出力する１ｔｏ４モードを含む１ｔｏＮモードを有する画像形成装置の操作方法を実行する、コンピュータ読み出し可能なプログラムを記憶した記憶媒体であって、
前記方法は、ユーザ操作により押下可能な選択ボタンを具備した操作画面を表示部に表示させる制御ステップを有し、
前記制御ステップは、
前記１ｔｏ２モードを選択する為の１ｔｏ２モード選択ボタン及び前記１ｔｏ４モードを選択する為の１ｔｏ４モード選択ボタンを含む１ｔｏＮモードにおけるレイアウトの種類をユーザにより選択させる為の選択ボタン、及び、１ｔｏＮモードで原稿１枚から複数枚のシートに分割出力される複数の分割画像の前記複数枚のシートに対する出力順序をユーザにより選択させる為のレイアウト順設定画面を前記表示部に表示させる為の指示を入力する詳細設定ボタン、を、前記表示部に表示させ、
前記表示部で前記１ｔｏ２モード選択ボタンが選択され、前記詳細設定ボタンが押下された場合は、
１枚の原稿の同一面上における左側の画像、右側の画像の順で、２枚のシートに分割出力させる第1の出力順序を選択する為の第１の選択ボタンと、１枚の原稿の同一面上における右側の画像、左側の画像の順で、２枚のシートに分割出力させる第２の出力順序を選択する為の第２の選択ボタンと、を含む、２つの選択ボタンを有するレイアウト順設定画面を前記表示部に表示させ、前記第1、第２の選択ボタンのうちの該レイアウト順設定画面で押下された選択ボタンが示す出力順序を前記１ｔｏ２モードにおける原稿１枚から分割される画像の出力順序として設定可能にし、
前記表示部で前記１ｔｏ４モード選択ボタンが選択され、前記詳細設定ボタンが押下された場合は、
１枚の原稿の同一面上における左上の画像、右上の画像、左下の画像、右下の画像の順で、４枚のシートに分割出力させる第３の出力順序を選択する為の第３の選択ボタンと、１枚の原稿の同一面上における右上の画像、左上の画像、右下の画像、左下の画像の順で、４枚のシートに分割出力させる第４の出力順序を選択する為の第４の選択ボタンと、１枚の原稿の同一面上における左上の画像、左下の画像、右上の画像、右下の画像の順で、４枚のシートに分割出力させる第５の出力順序を選択する為の第５の選択ボタンと、１枚の原稿の同一面上における右上の画像、右下の画像、左上の画像、左下の画像の順で、４枚のシートに分割出力させる第６の出力順序を選択する為の第６の選択ボタンと、を含む、４つの選択ボタンを有するレイアウト順設定画面を前記表示部に表示させ、前記第３、第４、第５、第６の選択ボタンのうちの該レイアウト順設定画面で押下された選択ボタンが示す出力順序を前記１ｔｏ４モードにおける原稿１枚から分割される画像の出力順序として設定可能にし、
更に、
前記表示部で前記１ｔｏ２モード選択ボタンが選択された場合に、
前記１ｔｏ２モードで処理すべき原稿のうちの最終原稿の最終読込み面から１ページ分の画像を１個分割出力させる為の第７の選択ボタンと、前記１ｔｏ２モードで処理すべき原稿のうちの最終原稿の最終読込み面から１ページ分の画像を２個分割出力させる為の第８の選択ボタンと、を含む、２つの選択ボタンを有する最終原稿レイアウト設定画面を前記表示部に表示させ、前記第７、第８の選択ボタンのうちの該最終原稿レイアウト設定画面で押下された選択ボタンが示す画像の数を前記１ｔｏ２モードにおける最終原稿の最終読込み面から分割出力させる画像の数として設定可能にし、
前記表示部で前記１ｔｏ４モード選択ボタンが選択された場合に、
前記１ｔｏ４モードで処理すべき原稿のうちの最終原稿の最終読込み面から１ページ分の画像を１個分割出力させる為の第９の選択ボタンと、前記１ｔｏ４モードで処理すべき原稿のうちの最終原稿の最終読込み面から１ページ分の画像を２個分割出力させる為の第１０の選択ボタンと、前記１ｔｏ４モードで処理すべき原稿のうちの最終原稿の最終読込み面から１ページ分の画像を３個分割出力させる為の第１１の選択ボタンと、前記１ｔｏ４モードで処理すべき原稿のうちの最終原稿の最終読込み面から１ページ分の画像を４個分割出力させる為の第１２の選択ボタンと、を含む、４つの選択ボタンを有する最終原稿レイアウト設定画面を前記表示部に表示させ、前記第９、第１０、第１１、第１２の選択ボタンのうちの該最終原稿レイアウト設定画面で押下された選択ボタンが示す画像の数を前記１ｔｏ４モードにおける最終原稿の最終読込み面から分割出力させる画像の数として設定可能にすることを特徴とする記憶媒体。
【請求項２２】
４ページ分の原稿画像を１枚のシートの同一面上に出力する４ｉｎ１モードを含むＮｉｎ１モードと、原稿1枚から４ページ分の原稿画像を分割して夫々別々のシートに出力する１ｔｏ４モードを含む１ｔｏＮモードと、を有する画像形成装置の操作方法を実行する、コンピュータ読み出し可能なプログラムを記憶した記憶媒体であって、
前記方法は、ユーザ操作により押下可能な選択ボタンを具備した操作画面を選択的に表示部に表示させる制御ステップを有し、
前記制御ステップは、
前記４ｉｎ１モードを選択する為の４ｉｎ１モード選択ボタンを含むＮｉｎ１モードにおけるレイアウトの種類をユーザにより選択させる為の選択ボタン、及び、前記１ｔｏ４モードを選択する為の１ｔｏ４モード選択ボタンを含む１ｔｏＮモードにおけるレイアウトの種類をユーザにより選択させる為の選択ボタン、及び、各モードにおける詳細設定を行う為の設定画面を前記表示部に表示させる為の指示を入力する為の詳細設定ボタン、を、前記表示部に表示させ、
前記表示部で１ｔｏ４モード選択ボタンが選択されて、前記詳細設定ボタンが押下された場合に、
１枚の原稿の同一面上における左上の画像、右上の画像、左下の画像、右下の画像の順で、４枚のシートに分割出力させる第１の出力順序を選択する為の第１の選択ボタンと、１枚の原稿の同一面上における右上の画像、左上の画像、右下の画像、左下の画像の順で、４枚のシートに分割出力させる第２の出力順序を選択する為の第２の選択ボタンと、１枚の原稿の同一面上における左上の画像、左下の画像、右上の画像、右下の画像の順で、４枚のシートに分割出力させる第３の出力順序を選択する為の第３の選択ボタンと、１枚の原稿の同一面上における右上の画像、右下の画像、左上の画像、左下の画像の順で、４枚のシートに分割出力させる第４の出力順序を選択する為の第４の選択ボタンと、を含む、４つの選択ボタンを有する設定画面を前記表示部に表示させ、前記第１、第２、第３、第４の選択ボタンのうちの該設定画面で押下された選択ボタンが示す出力順序を前記１ｔｏ４モードにおける原稿１枚から分割される画像の出力順序として設定可能にし、
前記表示部で前記４ｉｎ１モード選択ボタンが選択されて、前記詳細設定ボタンが押下された場合は、
４ページ分の原稿画像の1ページ目をシートの左上に２ページ目をシートの右上に３ページ目をシートの左下に４ページ目をシートの右下に配置させる第1のレイアウト順を選択する為の第５の選択ボタンと、４ページ分の原稿画像の1ページ目をシートの右上に２ページ目をシートの左上に３ページ目をシートの右下に４ページ目をシートの左下に配置させる第２のレイアウト順を選択する為の第６の選択ボタンと、４ページ分の原稿画像の1ページ目をシートの左上に２ページ目をシートの左下に３ページ目をシートの右上に４ページ目をシートの右下に配置させる第３のレイアウト順を選択する為の第７の選択ボタンと、４ページ分の原稿画像の1ページ目をシートの右上に２ページ目をシートの右下に３ページ目をシートの左上に４ページ目をシートの左下に配置させる第４のレイアウト順を選択する為の第８の選択ボタンと、を含む４つの選択ボタンと共に、原稿向き自動検知を行うか否かをユーザにより選択可能にする為の原稿向き検知ボタンと、を有する設定画面を前記表示部に表示させ、前記第５、第６、第７、第８の選択ボタンのうちの該設定画面で押下された選択ボタンが示すレイアウト順を前記４ｉｎ１モードにおけるレイアウト順として設定可能にすると共に、前設定画面の前記原稿向き検知ボタンの押下により、前記４ｉｎ１モードで処理すべき原稿画像の向きを自動検知する設定と前記４ｉｎ１モードで処理すべき原稿画像の向きを自動検知しない設定とを切替可能にすることを特徴とする記憶媒体。
【手続補正３】
【補正対象書類名】明細書
【補正対象項目名】０００１
【補正方法】変更
【補正の内容】
【０００１】
【発明の属する技術分野】
本発明は、縮小レイアウトモードや拡大レイアウトモードの機能を備えた画像形成装置及びその操作方法と、前記画像形成装置を備えた画像形成システムと、前記画像形成装置の操作方法を実行する記憶媒体とに関するものである。


【手続補正４】
【補正対象書類名】明細書
【補正対象項目名】０００７
【補正方法】変更
【補正の内容】
【０００７】
本発明は上記従来の問題点に鑑み、原稿の並び順を意識しなくても所望の縮小レイアウト出力が行える画像形成装置及びその操作方法、画像形成システム、並びに記憶媒体を提供することを目的とする。また、所望の拡大レイアウト出力が行える画像形成装置及びその操作方法、画像形成システム、並びに記憶媒体を提供することを目的とする。


【手続補正５】
【補正対象書類名】明細書
【補正対象項目名】０００８
【補正方法】変更
【補正の内容】
【０００８】
【課題を解決するための手段】
上記目的を達成するために、本発明に係る画像形成装置では、２ページ分の原稿画像を１枚のシートの同一面上に出力する２ｉｎ１モード及び４ページ分の原稿画像を１枚のシートの同一面上に出力する４ｉｎ１モードを含むＮｉｎ１モードを有する画像形成装置であって、ユーザ操作により押下可能な選択ボタンを具備した操作画面を表示部に表示させる制御手段を有し、前記制御手段は、前記２ｉｎ１モードを選択する為の２ｉｎ１モード選択ボタン及び前記４ｉｎ１モードを選択する為の４ｉｎ１モード選択ボタンを含むＮｉｎ１モードにおけるレイアウトの種類をユーザにより選択させる為の選択ボタン、及び、Ｎｉｎ１モードで１枚のシートの同一面上に出力される複数ページの原稿画像の前記1枚のシートの同一面上におけるレイアウト順をユーザにより選択させる為のレイアウト順設定画面を前記表示部に表示させる為の指示を入力する詳細設定ボタン、を、前記表示部に表示させ、前記表示部で前記２ｉｎ１モード選択ボタンが選択された状態で前記詳細設定ボタンが押下された場合は、２ページ分の原稿画像の1ページ目をシートの左に２ページ目をシートの右に配置させる第1のレイアウト順を選択する為の第１の選択ボタンと、２ページ分の原稿画像の1ページ目をシートの右に２ページ目をシートの左に配置させる第２のレイアウト順を選択する為の第２の選択ボタンと、を含む、２つの選択ボタンを有するレイアウト順設定画面を前記表示部に表示させ、前記第1、第２の選択ボタンのうちの該レイアウト順設定画面で押下された選択ボタンが示すレイアウト順を前記２ｉｎ１モードにおけるレイアウト順として設定可能し、前記表示部で前記４ｉｎ１モード選択ボタンが選択された状態で前記詳細設定ボタンが押下された場合は、４ページ分の原稿画像の1ページ目をシートの左上に２ページ目をシートの右上に３ページ目をシートの左下に４ページ目をシートの右下に配置させる第３のレイアウト順を選択する為の第３の選択ボタンと、４ページ分の原稿画像の1ページ目をシートの右上に２ページ目をシートの左上に３ページ目をシートの右下に４ページ目をシートの左下に配置させる第４のレイアウト順を選択する為の第４の選択ボタンと、４ページ分の原稿画像の1ページ目をシートの左上に２ページ目をシートの左下に３ページ目をシートの右上に４ページ目をシートの右下に配置させる第５のレイアウト順を選択する為の第５の選択ボタンと、４ページ分の原稿画像の1ページ目をシートの右上に２ページ目をシートの右下に３ページ目をシートの左上に４ページ目をシートの左下に配置させる第６のレイアウト順を選択する為の第６の選択ボタンと、を含む、４つの選択ボタンを有するレイアウト順設定画面を前記表示部に表示させ、前記第３、第４、第５、第６の選択ボタンのうちの該レイアウト順設定画面で押下された選択ボタンが示すレイアウト順を前記４ｉｎ１モードにおけるレイアウト順として設定可能にすることを特徴とする。


【手続補正６】
【補正対象書類名】明細書
【補正対象項目名】０００９
【補正方法】変更
【補正の内容】
【０００９】
本発明に係る画像形成装置では、原稿１枚から２ページ分の原稿画像を分割して夫々別々のシートに出力する１ｔｏ２モード、原稿1枚から４ページ分の原稿画像を分割して夫々別々のシートに出力する１ｔｏ４モードを含む１ｔｏＮモードを有する画像形成装置であって、ユーザ操作により押下可能な選択ボタンを具備した操作画面を表示部に表示させる制御手段を有し、前記制御手段は、前記１ｔｏ２モードを選択する為の１ｔｏ２モード選択ボタン及び前記１ｔｏ４モードを選択する為の１ｔｏ４モード選択ボタンを含む１ｔｏＮモードにおけるレイアウトの種類をユーザにより選択させる為の選択ボタン、及び、１ｔｏＮモードで原稿１枚から複数枚のシートに分割出力される複数の分割画像の前記複数枚のシートに対する出力順序をユーザにより選択させる為のレイアウト順設定画面を前記表示部に表示させる為の指示を入力する詳細設定ボタン、を、前記表示部に表示させ、前記表示部で前記１ｔｏ２モード選択ボタンが選択され、前記詳細設定ボタンが押下された場合は、１枚の原稿の同一面上における左側の画像、右側の画像の順で、２枚のシートに分割出力させる第1の出力順序を選択する為の第１の選択ボタンと、１枚の原稿の同一面上における右側の画像、左側の画像の順で、２枚のシートに分割出力させる第２の出力順序を選択する為の第２の選択ボタンと、を含む、２つの選択ボタンを有するレイアウト順設定画面を前記表示部に表示させ、前記第1、第２の選択ボタンのうちの該レイアウト順設定画面で押下された選択ボタンが示す出力順序を前記１ｔｏ２モードにおける原稿１枚から分割される画像の出力順序として設定可能にし、前記表示部で前記１ｔｏ４モード選択ボタンが選択され、前記詳細設定ボタンが押下された場合は、１枚の原稿の同一面上における左上の画像、右上の画像、左下の画像、右下の画像の順で、４枚のシートに分割出力させる第３の出力順序を選択する為の第３の選択ボタンと、１枚の原稿の同一面上における右上の画像、左上の画像、右下の画像、左下の画像の順で、４枚のシートに分割出力させる第４の出力順序を選択する為の第４の選択ボタンと、１枚の原稿の同一面上における左上の画像、左下の画像、右上の画像、右下の画像の順で、４枚のシートに分割出力させる第５の出力順序を選択する為の第５の選択ボタンと、１枚の原稿の同一面上における右上の画像、右下の画像、左上の画像、左下の画像の順で、４枚のシートに分割出力させる第６の出力順序を選択する為の第６の選択ボタンと、を含む、４つの選択ボタンを有するレイアウト順設定画面を前記表示部に表示させ、前記第３、第４、第５、第６の選択ボタンのうちの該レイアウト順設定画面で押下された選択ボタンが示す出力順序を前記１ｔｏ４モードにおける原稿１枚から分割される画像の出力順序として設定可能にし、更に、前記表示部で前記１ｔｏ２モード選択ボタンが選択された場合に、前記１ｔｏ２モードで処理すべき原稿のうちの最終原稿の最終読込み面から１ページ分の画像を１個分割出力させる為の第７の選択ボタンと、前記１ｔｏ２モードで処理すべき原稿のうちの最終原稿の最終読込み面から１ページ分の画像を２個分割出力させる為の第８の選択ボタンと、を含む、２つの選択ボタンを有する最終原稿レイアウト設定画面を前記表示部に表示させ、前記第７、第８の選択ボタンのうちの該最終原稿レイアウト設定画面で押下された選択ボタンが示す画像の数を前記１ｔｏ２モードにおける最終原稿の最終読込み面から分割出力させる画像の数として設定可能にし、前記表示部で前記１ｔｏ４モード選択ボタンが選択された場合に、前記１ｔｏ４モードで処理すべき原稿のうちの最終原稿の最終読込み面から１ページ分の画像を１個分割出力させる為の第９の選択ボタンと、前記１ｔｏ４モードで処理すべき原稿のうちの最終原稿の最終読込み面から１ページ分の画像を２個分割出力させる為の第１０の選択ボタンと、前記１ｔｏ４モードで処理すべき原稿のうちの最終原稿の最終読込み面から１ページ分の画像を３個分割出力させる為の第１１の選択ボタンと、前記１ｔｏ４モードで処理すべき原稿のうちの最終原稿の最終読込み面から１ページ分の画像を４個分割出力させる為の第１２の選択ボタンと、を含む、４つの選択ボタンを有する最終原稿レイアウト設定画面を前記表示部に表示させ、前記第９、第１０、第１１、第１２の選択ボタンのうちの該最終原稿レイアウト設定画面で押下された選択ボタンが示す画像の数を前記１ｔｏ４モードにおける最終原稿の最終読込み面から分割出力させる画像の数として設定可能にすることを特徴とする。


【手続補正７】
【補正対象書類名】明細書
【補正対象項目名】００１０
【補正方法】変更
【補正の内容】
【００１０】
本発明に係る画像形成装置では、４ページ分の原稿画像を１枚のシートの同一面上に出力する４ｉｎ１モードを含むＮｉｎ１モードと、原稿1枚から４ページ分の原稿画像を分割して夫々別々のシートに出力する１ｔｏ４モードを含む１ｔｏＮモードと、を有する画像形成装置であって、ユーザ操作により押下可能な選択ボタンを具備した操作画面を選択的に表示部に表示させる制御手段を有し、前記制御手段は、前記４ｉｎ１モードを選択する為の４ｉｎ１モード選択ボタンを含むＮｉｎ１モードにおけるレイアウトの種類をユーザにより選択させる為の選択ボタン、及び、前記１ｔｏ４モードを選択する為の１ｔｏ４モード選択ボタンを含む１ｔｏＮモードにおけるレイアウトの種類をユーザにより選択させる為の選択ボタン、及び、各モードにおける詳細設定を行う為の設定画面を前記表示部に表示させる為の指示を入力する為の詳細設定ボタン、を、前記表示部に表示させ、前記表示部で１ｔｏ４モード選択ボタンが選択されて、前記詳細設定ボタンが押下された場合に、１枚の原稿の同一面上における左上の画像、右上の画像、左下の画像、右下の画像の順で、４枚のシートに分割出力させる第１の出力順序を選択する為の第１の選択ボタンと、１枚の原稿の同一面上における右上の画像、左上の画像、右下の画像、左下の画像の順で、４枚のシートに分割出力させる第２の出力順序を選択する為の第２の選択ボタンと、１枚の原稿の同一面上における左上の画像、左下の画像、右上の画像、右下の画像の順で、４枚のシートに分割出力させる第３の出力順序を選択する為の第３の選択ボタンと、１枚の原稿の同一面上における右上の画像、右下の画像、左上の画像、左下の画像の順で、４枚のシートに分割出力させる第４の出力順序を選択する為の第４の選択ボタンと、を含む、４つの選択ボタンを有する設定画面を前記表示部に表示させ、前記第１、第２、第３、第４の選択ボタンのうちの該設定画面で押下された選択ボタンが示す出力順序を前記１ｔｏ４モードにおける原稿１枚から分割される画像の出力順序として設定可能にし、前記表示部で前記４ｉｎ１モード選択ボタンが選択されて、前記詳細設定ボタンが押下された場合は、４ページ分の原稿画像の1ページ目をシートの左上に２ページ目をシートの右上に３ページ目をシートの左下に４ページ目をシートの右下に配置させる第1のレイアウト順を選択する為の第５の選択ボタンと、４ページ分の原稿画像の1ページ目をシートの右上に２ページ目をシートの左上に３ページ目をシートの右下に４ページ目をシートの左下に配置させる第２のレイアウト順を選択する為の第６の選択ボタンと、４ページ分の原稿画像の1ページ目をシートの左上に２ページ目をシートの左下に３ページ目をシートの右上に４ページ目をシートの右下に配置させる第３のレイアウト順を選択する為の第７の選択ボタンと、４ページ分の原稿画像の1ページ目をシートの右上に２ページ目をシートの右下に３ページ目をシートの左上に４ページ目をシートの左下に配置させる第４のレイアウト順を選択する為の第８の選択ボタンと、を含む４つの選択ボタンと共に、原稿向き自動検知を行うか否かをユーザにより選択可能にする為の原稿向き検知ボタンと、を有する設定画面を前記表示部に表示させ、前記第５、第６、第７、第８の選択ボタンのうちの該設定画面で押下された選択ボタンが示すレイアウト順を前記４ｉｎ１モードにおけるレイアウト順として設定可能にすると共に、前設定画面の前記原稿向き検知ボタンの押下により、前記４ｉｎ１モードで処理すべき原稿画像の向きを自動検知する設定と前記４ｉｎ１モードで処理すべき原稿画像の向きを自動検知しない設定とを切替可能にすることを特徴とする。
【手続補正８】
【補正対象書類名】明細書
【補正対象項目名】００１１
【補正方法】変更
【補正の内容】
【００１１】
本発明に係る画像形成システムでは、２ページ分の原稿画像を１枚のシートの同一面上に出力する２ｉｎ１モード及び４ページ分の原稿画像を１枚のシートの同一面上に出力する４ｉｎ１モードを含むＮｉｎ１モードを有する画像形成装置と、前記画像形成装置に接続された外部装置とを備えた画像形成システムであって、ユーザ操作により押下可能な選択ボタンを具備した操作画面を表示部に表示可能とし、前記２ｉｎ１モードを選択する為の２ｉｎ１モード選択ボタン及び前記４ｉｎ１モードを選択する為の４ｉｎ１モード選択ボタンを含むＮｉｎ１モードにおけるレイアウトの種類をユーザにより選択させる為の選択ボタン、及び、Ｎｉｎ１モードで１枚のシートの同一面上に出力される複数ページの原稿画像の前記1枚のシートの同一面上におけるレイアウト順をユーザにより選択させる為のレイアウト順設定画面を前記表示部に表示させる為の指示を入力する詳細設定ボタン、を、前記表示部に表示させ、前記表示部で前記２ｉｎ１モード選択ボタンが選択された状態で前記詳細設定ボタンが押下された場合は、２ページ分の原稿画像の1ページ目をシートの左に２ページ目をシートの右に配置させる第1のレイアウト順を選択する為の第１の選択ボタンと、２ページ分の原稿画像の1ページ目をシートの右に２ページ目をシートの左に配置させる第２のレイアウト順を選択する為の第２の選択ボタンと、を含む、２つの選択ボタンを有するレイアウト順設定画面を前記表示部に表示させ、前記第1、第２の選択ボタンのうちの該レイアウト順設定画面で押下された選択ボタンが示すレイアウト順を前記２ｉｎ１モードにおけるレイアウト順として設定可能し、前記表示部で前記４ｉｎ１モード選択ボタンが選択された状態で前記詳細設定ボタンが押下された場合は、４ページ分の原稿画像の1ページ目をシートの左上に２ページ目をシートの右上に３ページ目をシートの左下に４ページ目をシートの右下に配置させる第３のレイアウト順を選択する為の第３の選択ボタンと、４ページ分の原稿画像の1ページ目をシートの右上に２ページ目をシートの左上に３ページ目をシートの右下に４ページ目をシートの左下に配置させる第４のレイアウト順を選択する為の第４の選択ボタンと、４ページ分の原稿画像の1ページ目をシートの左上に２ページ目をシートの左下に３ページ目をシートの右上に４ページ目をシートの右下に配置させる第５のレイアウト順を選択する為の第５の選択ボタンと、４ページ分の原稿画像の1ページ目をシートの右上に２ページ目をシートの右下に３ページ目をシートの左上に４ページ目をシートの左下に配置させる第６のレイアウト順を選択する為の第６の選択ボタンと、を含む、４つの選択ボタンを有するレイアウト順設定画面を前記表示部に表示させ、前記第３、第４、第５、第６の選択ボタンのうちの該レイアウト順設定画面で押下された選択ボタンが示すレイアウト順を前記４ｉｎ１モードにおけるレイアウト順として設定可能にすることを特徴とする。


【手続補正９】
【補正対象書類名】明細書
【補正対象項目名】００１２
【補正方法】変更
【補正の内容】
【００１２】
本発明に係る画像形成システムでは、原稿１枚から２ページ分の原稿画像を分割して夫々別々のシートに出力する１ｔｏ２モード、原稿1枚から４ページ分の原稿画像を分割して夫々別々のシートに出力する１ｔｏ４モードを含む１ｔｏＮモードを有する画像形成装置と、前記画像形成装置に接続された外部装置とを備えた画像形成システムであって、ユーザ操作により押下可能な選択ボタンを具備した操作画面を選択的に表示部に表示可能とし、前記１ｔｏ２モードを選択する為の１ｔｏ２モード選択ボタン及び前記１ｔｏ４モードを選択する為の１ｔｏ４モード選択ボタンを含む１ｔｏＮモードにおけるレイアウトの種類をユーザにより選択させる為の選択ボタン、及び、１ｔｏＮモードで原稿１枚から複数枚のシートに分割出力される複数の分割画像の前記複数枚のシートに対する出力順序をユーザにより選択させる為のレイアウト順設定画面を前記表示部に表示させる為の指示を入力する詳細設定ボタン、を、前記表示部に表示させ、前記表示部で前記１ｔｏ２モード選択ボタンが選択され、前記詳細設定ボタンが押下された場合は、１枚の原稿の同一面上における左側の画像、右側の画像の順で、２枚のシートに分割出力させる第1の出力順序を選択する為の第１の選択ボタンと、１枚の原稿の同一面上における右側の画像、左側の画像の順で、２枚のシートに分割出力させる第２の出力順序を選択する為の第２の選択ボタンと、を含む、２つの選択ボタンを有するレイアウト順設定画面を前記表示部に表示させ、前記第1、第２の選択ボタンのうちの該レイアウト順設定画面で押下された選択ボタンが示す出力順序を前記１ｔｏ２モードにおける原稿１枚から分割される画像の出力順序として設定可能にし、前記表示部で前記１ｔｏ４モード選択ボタンが選択され、前記詳細設定ボタンが押下された場合は、１枚の原稿の同一面上における左上の画像、右上の画像、左下の画像、右下の画像の順で、４枚のシートに分割出力させる第３の出力順序を選択する為の第３の選択ボタンと、１枚の原稿の同一面上における右上の画像、左上の画像、右下の画像、左下の画像の順で、４枚のシートに分割出力させる第４の出力順序を選択する為の第４の選択ボタンと、１枚の原稿の同一面上における左上の画像、左下の画像、右上の画像、右下の画像の順で、４枚のシートに分割出力させる第５の出力順序を選択する為の第５の選択ボタンと、１枚の原稿の同一面上における右上の画像、右下の画像、左上の画像、左下の画像の順で、４枚のシートに分割出力させる第６の出力順序を選択する為の第６の選択ボタンと、を含む、４つの選択ボタンを有するレイアウト順設定画面を前記表示部に表示させ、前記第３、第４、第５、第６の選択ボタンのうちの該レイアウト順設定画面で押下された選択ボタンが示す出力順序を前記１ｔｏ４モードにおける原稿１枚から分割される画像の出力順序として設定可能にし、更に、前記表示部で前記１ｔｏ２モード選択ボタンが選択された場合に、前記１ｔｏ２モードで処理すべき原稿のうちの最終原稿の最終読込み面から１ページ分の画像を１個分割出力させる為の第７の選択ボタンと、前記１ｔｏ２モードで処理すべき原稿のうちの最終原稿の最終読込み面から１ページ分の画像を２個分割出力させる為の第８の選択ボタンと、を含む、２つの選択ボタンを有する最終原稿レイアウト設定画面を前記表示部に表示させ、前記第７、第８の選択ボタンのうちの該最終原稿レイアウト設定画面で押下された選択ボタンが示す画像の数を前記１ｔｏ２モードにおける最終原稿の最終読込み面から分割出力させる画像の数として設定可能にし、前記表示部で前記１ｔｏ４モード選択ボタンが選択された場合に、前記１ｔｏ４モードで処理すべき原稿のうちの最終原稿の最終読込み面から１ページ分の画像を１個分割出力させる為の第９の選択ボタンと、前記１ｔｏ４モードで処理すべき原稿のうちの最終原稿の最終読込み面から１ページ分の画像を２個分割出力させる為の第１０の選択ボタンと、前記１ｔｏ４モードで処理すべき原稿のうちの最終原稿の最終読込み面から１ページ分の画像を３個分割出力させる為の第１１の選択ボタンと、前記１ｔｏ４モードで処理すべき原稿のうちの最終原稿の最終読込み面から１ページ分の画像を４個分割出力させる為の第１２の選択ボタンと、を含む、４つの選択ボタンを有する最終原稿レイアウト設定画面を前記表示部に表示させ、前記第９、第１０、第１１、第１２の選択ボタンのうちの該最終原稿レイアウト設定画面で押下された選択ボタンが示す画像の数を前記１ｔｏ４モードにおける最終原稿の最終読込み面から分割出力させる画像の数として設定可能にすることを特徴とする。


【手続補正１０】
【補正対象書類名】明細書
【補正対象項目名】００１３
【補正方法】変更
【補正の内容】
【００１３】
本発明に係る画像形成システムでは、４ページ分の原稿画像を１枚のシートの同一面上に出力する４ｉｎ１モードを含むＮｉｎ１モードと、原稿1枚から４ページ分の原稿画像を分割して夫々別々のシートに出力する１ｔｏ４モードを含む１ｔｏＮモードと、を有する画像形成装置と、前記画像形成装置に接続された外部装置とを備えた画像形成システムであって、ユーザ操作により押下可能な選択ボタンを具備した操作画面を選択的に表示部に表示可能とし、前記４ｉｎ１モードを選択する為の４ｉｎ１モード選択ボタンを含むＮｉｎ１モードにおけるレイアウトの種類をユーザにより選択させる為の選択ボタン、及び、前記１ｔｏ４モードを選択する為の１ｔｏ４モード選択ボタンを含む１ｔｏＮモードにおけるレイアウトの種類をユーザにより選択させる為の選択ボタン、及び、各モードにおける詳細設定を行う為の設定画面を前記表示部に表示させる為の指示を入力する為の詳細設定ボタン、を、前記表示部に表示させ、前記表示部で１ｔｏ４モード選択ボタンが選択されて、前記詳細設定ボタンが押下された場合に、１枚の原稿の同一面上における左上の画像、右上の画像、左下の画像、右下の画像の順で、４枚のシートに分割出力させる第１の出力順序を選択する為の第１の選択ボタンと、１枚の原稿の同一面上における右上の画像、左上の画像、右下の画像、左下の画像の順で、４枚のシートに分割出力させる第２の出力順序を選択する為の第２の選択ボタンと、１枚の原稿の同一面上における左上の画像、左下の画像、右上の画像、右下の画像の順で、４枚のシートに分割出力させる第３の出力順序を選択する為の第３の選択ボタンと、１枚の原稿の同一面上における右上の画像、右下の画像、左上の画像、左下の画像の順で、４枚のシートに分割出力させる第４の出力順序を選択する為の第４の選択ボタンと、を含む、４つの選択ボタンを有する設定画面を前記表示部に表示させ、前記第１、第２、第３、第４の選択ボタンのうちの該設定画面で押下された選択ボタンが示す出力順序を前記１ｔｏ４モードにおける原稿１枚から分割される画像の出力順序として設定可能にし、前記表示部で前記４ｉｎ１モード選択ボタンが選択されて、前記詳細設定ボタンが押下された場合は、４ページ分の原稿画像の1ページ目をシートの左上に２ページ目をシートの右上に３ページ目をシートの左下に４ページ目をシートの右下に配置させる第1のレイアウト順を選択する為の第５の選択ボタンと、４ページ分の原稿画像の1ページ目をシートの右上に２ページ目をシートの左上に３ページ目をシートの右下に４ページ目をシートの左下に配置させる第２のレイアウト順を選択する為の第６の選択ボタンと、４ページ分の原稿画像の1ページ目をシートの左上に２ページ目をシートの左下に３ページ目をシートの右上に４ページ目をシートの右下に配置させる第３のレイアウト順を選択する為の第７の選択ボタンと、４ページ分の原稿画像の1ページ目をシートの右上に２ページ目をシートの右下に３ページ目をシートの左上に４ページ目をシートの左下に配置させる第４のレイアウト順を選択する為の第８の選択ボタンと、を含む４つの選択ボタンと共に、原稿向き自動検知を行うか否かをユーザにより選択可能にする為の原稿向き検知ボタンと、を有する設定画面を前記表示部に表示させ、前記第５、第６、第７、第８の選択ボタンのうちの該設定画面で押下された選択ボタンが示すレイアウト順を前記４ｉｎ１モードにおけるレイアウト順として設定可能にすると共に、前設定画面の前記原稿向き検知ボタンの押下により、前記４ｉｎ１モードで処理すべき原稿画像の向きを自動検知する設定と前記４ｉｎ１モードで処理すべき原稿画像の向きを自動検知しない設定とを切替可能にすることを特徴とする。


【手続補正１１】
【補正対象書類名】明細書
【補正対象項目名】００１４
【補正方法】変更
【補正の内容】
【００１４】
本発明に係る画像形成装置の操作方法では、２ページ分の原稿画像を１枚のシートの同一面上に出力する２ｉｎ１モード及び４ページ分の原稿画像を１枚のシートの同一面上に出力する４ｉｎ１モードを含むＮｉｎ１モードを有する画像形成装置の操作方法であって、ユーザ操作により押下可能な選択ボタンを具備した操作画面を表示部に表示させる制御ステップを有し、前記制御ステップは、前記２ｉｎ１モードを選択する為の２ｉｎ１モード選択ボタン及び前記４ｉｎ１モードを選択する為の４ｉｎ１モード選択ボタンを含むＮｉｎ１モードにおけるレイアウトの種類をユーザにより選択させる為の選択ボタン、及び、Ｎｉｎ１モードで１枚のシートの同一面上に出力される複数ページの原稿画像の前記1枚のシートの同一面上におけるレイアウト順をユーザにより選択させる為のレイアウト順設定画面を前記表示部に表示させる為の指示を入力する詳細設定ボタン、を、前記表示部に表示させ、前記表示部で前記２ｉｎ１モード選択ボタンが選択された状態で前記詳細設定ボタンが押下された場合は、２ページ分の原稿画像の1ページ目をシートの左に２ページ目をシートの右に配置させる第1のレイアウト順を選択する為の第１の選択ボタンと、２ページ分の原稿画像の1ページ目をシートの右に２ページ目をシートの左に配置させる第２のレイアウト順を選択する為の第２の選択ボタンと、を含む、２つの選択ボタンを有するレイアウト順設定画面を前記表示部に表示させ、前記第1、第２の選択ボタンのうちの該レイアウト順設定画面で押下された選択ボタンが示すレイアウト順を前記２ｉｎ１モードにおけるレイアウト順として設定可能し、前記表示部で前記４ｉｎ１モード選択ボタンが選択された状態で前記詳細設定ボタンが押下された場合は、４ページ分の原稿画像の1ページ目をシートの左上に２ページ目をシートの右上に３ページ目をシートの左下に４ページ目をシートの右下に配置させる第３のレイアウト順を選択する為の第３の選択ボタンと、４ページ分の原稿画像の1ページ目をシートの右上に２ページ目をシートの左上に３ページ目をシートの右下に４ページ目をシートの左下に配置させる第４のレイアウト順を選択する為の第４の選択ボタンと、４ページ分の原稿画像の1ページ目をシートの左上に２ページ目をシートの左下に３ページ目をシートの右上に４ページ目をシートの右下に配置させる第５のレイアウト順を選択する為の第５の選択ボタンと、４ページ分の原稿画像の1ページ目をシートの右上に２ページ目をシートの右下に３ページ目をシートの左上に４ページ目をシートの左下に配置させる第６のレイアウト順を選択する為の第６の選択ボタンと、を含む、４つの選択ボタンを有するレイアウト順設定画面を前記表示部に表示させ、前記第３、第４、第５、第６の選択ボタンのうちの該レイアウト順設定画面で押下された選択ボタンが示すレイアウト順を前記４ｉｎ１モードにおけるレイアウト順として設定可能にすることを特徴とする。


【手続補正１２】
【補正対象書類名】明細書
【補正対象項目名】００１５
【補正方法】変更
【補正の内容】
【００１５】
本発明に係る画像形成装置の操作方法では、原稿１枚から２ページ分の原稿画像を分割して夫々別々のシートに出力する１ｔｏ２モード、原稿1枚から４ページ分の原稿画像を分割して夫々別々のシートに出力する１ｔｏ４モードを含む１ｔｏＮモードを有する画像形成装置の操作方法であって、ユーザ操作により押下可能な選択ボタンを具備した操作画面を表示部に表示させる制御ステップを有し、前記制御ステップは、前記１ｔｏ２モードを選択する為の１ｔｏ２モード選択ボタン及び前記１ｔｏ４モードを選択する為の１ｔｏ４モード選択ボタンを含む１ｔｏＮモードにおけるレイアウトの種類をユーザにより選択させる為の選択ボタン、及び、１ｔｏＮモードで原稿１枚から複数枚のシートに分割出力される複数の分割画像の前記複数枚のシートに対する出力順序をユーザにより選択させる為のレイアウト順設定画面を前記表示部に表示させる為の指示を入力する詳細設定ボタン、を、前記表示部に表示させ、前記表示部で前記１ｔｏ２モード選択ボタンが選択され、前記詳細設定ボタンが押下された場合は、１枚の原稿の同一面上における左側の画像、右側の画像の順で、２枚のシートに分割出力させる第1の出力順序を選択する為の第１の選択ボタンと、１枚の原稿の同一面上における右側の画像、左側の画像の順で、２枚のシートに分割出力させる第２の出力順序を選択する為の第２の選択ボタンと、を含む、２つの選択ボタンを有するレイアウト順設定画面を前記表示部に表示させ、前記第1、第２の選択ボタンのうちの該レイアウト順設定画面で押下された選択ボタンが示す出力順序を前記１ｔｏ２モードにおける原稿１枚から分割される画像の出力順序として設定可能にし、前記表示部で前記１ｔｏ４モード選択ボタンが選択され、前記詳細設定ボタンが押下された場合は、１枚の原稿の同一面上における左上の画像、右上の画像、左下の画像、右下の画像の順で、４枚のシートに分割出力させる第３の出力順序を選択する為の第３の選択ボタンと、１枚の原稿の同一面上における右上の画像、左上の画像、右下の画像、左下の画像の順で、４枚のシートに分割出力させる第４の出力順序を選択する為の第４の選択ボタンと、１枚の原稿の同一面上における左上の画像、左下の画像、右上の画像、右下の画像の順で、４枚のシートに分割出力させる第５の出力順序を選択する為の第５の選択ボタンと、１枚の原稿の同一面上における右上の画像、右下の画像、左上の画像、左下の画像の順で、４枚のシートに分割出力させる第６の出力順序を選択する為の第６の選択ボタンと、を含む、４つの選択ボタンを有するレイアウト順設定画面を前記表示部に表示させ、前記第３、第４、第５、第６の選択ボタンのうちの該レイアウト順設定画面で押下された選択ボタンが示す出力順序を前記１ｔｏ４モードにおける原稿１枚から分割される画像の出力順序として設定可能にし、更に、前記表示部で前記１ｔｏ２モード選択ボタンが選択された場合に、前記１ｔｏ２モードで処理すべき原稿のうちの最終原稿の最終読込み面から１ページ分の画像を１個分割出力させる為の第７の選択ボタンと、前記１ｔｏ２モードで処理すべき原稿のうちの最終原稿の最終読込み面から１ページ分の画像を２個分割出力させる為の第８の選択ボタンと、を含む、２つの選択ボタンを有する最終原稿レイアウト設定画面を前記表示部に表示させ、前記第７、第８の選択ボタンのうちの該最終原稿レイアウト設定画面で押下された選択ボタンが示す画像の数を前記１ｔｏ２モードにおける最終原稿の最終読込み面から分割出力させる画像の数として設定可能にし、前記表示部で前記１ｔｏ４モード選択ボタンが選択された場合に、前記１ｔｏ４モードで処理すべき原稿のうちの最終原稿の最終読込み面から１ページ分の画像を１個分割出力させる為の第９の選択ボタンと、前記１ｔｏ４モードで処理すべき原稿のうちの最終原稿の最終読込み面から１ページ分の画像を２個分割出力させる為の第１０の選択ボタンと、前記１ｔｏ４モードで処理すべき原稿のうちの最終原稿の最終読込み面から１ページ分の画像を３個分割出力させる為の第１１の選択ボタンと、前記１ｔｏ４モードで処理すべき原稿のうちの最終原稿の最終読込み面から１ページ分の画像を４個分割出力させる為の第１２の選択ボタンと、を含む、４つの選択ボタンを有する最終原稿レイアウト設定画面を前記表示部に表示させ、前記第９、第１０、第１１、第１２の選択ボタンのうちの該最終原稿レイアウト設定画面で押下された選択ボタンが示す画像の数を前記１ｔｏ４モードにおける最終原稿の最終読込み面から分割出力させる画像の数として設定可能にすることを特徴とする。


【手続補正１３】
【補正対象書類名】明細書
【補正対象項目名】００１６
【補正方法】変更
【補正の内容】
【００１６】
本発明に係る画像形成装置の操作方法では、４ページ分の原稿画像を１枚のシートの同一面上に出力する４ｉｎ１モードを含むＮｉｎ１モードと、原稿1枚から４ページ分の原稿画像を分割して夫々別々のシートに出力する１ｔｏ４モードを含む１ｔｏＮモードと、を有する画像形成装置の操作方法であって、ユーザ操作により押下可能な選択ボタンを具備した操作画面を選択的に表示部に表示させる制御ステップを有し、前記制御ステップは、前記４ｉｎ１モードを選択する為の４ｉｎ１モード選択ボタンを含むＮｉｎ１モードにおけるレイアウトの種類をユーザにより選択させる為の選択ボタン、及び、前記１ｔｏ４モードを選択する為の１ｔｏ４モード選択ボタンを含む１ｔｏＮモードにおけるレイアウトの種類をユーザにより選択させる為の選択ボタン、及び、各モードにおける詳細設定を行う為の設定画面を前記表示部に表示させる為の指示を入力する為の詳細設定ボタン、を、前記表示部に表示させ、前記表示部で１ｔｏ４モード選択ボタンが選択されて、前記詳細設定ボタンが押下された場合に、１枚の原稿の同一面上における左上の画像、右上の画像、左下の画像、右下の画像の順で、４枚のシートに分割出力させる第１の出力順序を選択する為の第１の選択ボタンと、１枚の原稿の同一面上における右上の画像、左上の画像、右下の画像、左下の画像の順で、４枚のシートに分割出力させる第２の出力順序を選択する為の第２の選択ボタンと、１枚の原稿の同一面上における左上の画像、左下の画像、右上の画像、右下の画像の順で、４枚のシートに分割出力させる第３の出力順序を選択する為の第３の選択ボタンと、１枚の原稿の同一面上における右上の画像、右下の画像、左上の画像、左下の画像の順で、４枚のシートに分割出力させる第４の出力順序を選択する為の第４の選択ボタンと、を含む、４つの選択ボタンを有する設定画面を前記表示部に表示させ、前記第１、第２、第３、第４の選択ボタンのうちの該設定画面で押下された選択ボタンが示す出力順序を前記１ｔｏ４モードにおける原稿１枚から分割される画像の出力順序として設定可能にし、前記表示部で前記４ｉｎ１モード選択ボタンが選択されて、前記詳細設定ボタンが押下された場合は、４ページ分の原稿画像の1ページ目をシートの左上に２ページ目をシートの右上に３ページ目をシートの左下に４ページ目をシートの右下に配置させる第1のレイアウト順を選択する為の第５の選択ボタンと、４ページ分の原稿画像の1ページ目をシートの右上に２ページ目をシートの左上に３ページ目をシートの右下に４ページ目をシートの左下に配置させる第２のレイアウト順を選択する為の第６の選択ボタンと、４ページ分の原稿画像の1ページ目をシートの左上に２ページ目をシートの左下に３ページ目をシートの右上に４ページ目をシートの右下に配置させる第３のレイアウト順を選択する為の第７の選択ボタンと、４ページ分の原稿画像の1ページ目をシートの右上に２ページ目をシートの右下に３ページ目をシートの左上に４ページ目をシートの左下に配置させる第４のレイアウト順を選択する為の第８の選択ボタンと、を含む４つの選択ボタンと共に、原稿向き自動検知を行うか否かをユーザにより選択可能にする為の原稿向き検知ボタンと、を有する設定画面を前記表示部に表示させ、前記第５、第６、第７、第８の選択ボタンのうちの該設定画面で押下された選択ボタンが示すレイアウト順を前記４ｉｎ１モードにおけるレイアウト順として設定可能にすると共に、前設定画面の前記原稿向き検知ボタンの押下により、前記４ｉｎ１モードで処理すべき原稿画像の向きを自動検知する設定と前記４ｉｎ１モードで処理すべき原稿画像の向きを自動検知しない設定とを切替可能にすることを特徴とする。


【手続補正１４】
【補正対象書類名】明細書
【補正対象項目名】００１７
【補正方法】変更
【補正の内容】
【００１７】
本発明に係る記憶媒体では、２ページ分の原稿画像を１枚のシートの同一面上に出力する２ｉｎ１モード及び４ページ分の原稿画像を１枚のシートの同一面上に出力する４ｉｎ１モードを含むＮｉｎ１モードを有する画像形成装置の操作方法を実行する、コンピュータ読み出し可能なプログラムを記憶した記憶媒体であって、前記方法は、ユーザ操作により押下可能な選択ボタンを具備した操作画面を表示部に表示させる制御ステップを有し、前記制御ステップは、前記２ｉｎ１モードを選択する為の２ｉｎ１モード選択ボタン及び前記４ｉｎ１モードを選択する為の４ｉｎ１モード選択ボタンを含むＮｉｎ１モードにおけるレイアウトの種類をユーザにより選択させる為の選択ボタン、及び、Ｎｉｎ１モードで１枚のシートの同一面上に出力される複数ページの原稿画像の前記1枚のシートの同一面上におけるレイアウト順をユーザにより選択させる為のレイアウト順設定画面を前記表示部に表示させる為の指示を入力する詳細設定ボタン、を、前記表示部に表示させ、前記表示部で前記２ｉｎ１モード選択ボタンが選択された状態で前記詳細設定ボタンが押下された場合は、２ページ分の原稿画像の1ページ目をシートの左に２ページ目をシートの右に配置させる第1のレイアウト順を選択する為の第１の選択ボタンと、２ページ分の原稿画像の1ページ目をシートの右に２ページ目をシートの左に配置させる第２のレイアウト順を選択する為の第２の選択ボタンと、を含む、２つの選択ボタンを有するレイアウト順設定画面を前記表示部に表示させ、前記第1、第２の選択ボタンのうちの該レイアウト順設定画面で押下された選択ボタンが示すレイアウト順を前記２ｉｎ１モードにおけるレイアウト順として設定可能し、前記表示部で前記４ｉｎ１モード選択ボタンが選択された状態で前記詳細設定ボタンが押下された場合は、４ページ分の原稿画像の1ページ目をシートの左上に２ページ目をシートの右上に３ページ目をシートの左下に４ページ目をシートの右下に配置させる第３のレイアウト順を選択する為の第３の選択ボタンと、４ページ分の原稿画像の1ページ目をシートの右上に２ページ目をシートの左上に３ページ目をシートの右下に４ページ目をシートの左下に配置させる第４のレイアウト順を選択する為の第４の選択ボタンと、４ページ分の原稿画像の1ページ目をシートの左上に２ページ目をシートの左下に３ページ目をシートの右上に４ページ目をシートの右下に配置させる第５のレイアウト順を選択する為の第５の選択ボタンと、４ページ分の原稿画像の1ページ目をシートの右上に２ページ目をシートの右下に３ページ目をシートの左上に４ページ目をシートの左下に配置させる第６のレイアウト順を選択する為の第６の選択ボタンと、を含む、４つの選択ボタンを有するレイアウト順設定画面を前記表示部に表示させ、前記第３、第４、第５、第６の選択ボタンのうちの該レイアウト順設定画面で押下された選択ボタンが示すレイアウト順を前記４ｉｎ１モードにおけるレイアウト順として設定可能にすることを特徴とする。


【手続補正１５】
【補正対象書類名】明細書
【補正対象項目名】００１８
【補正方法】変更
【補正の内容】
【００１８】
本発明に係る記憶媒体では、原稿１枚から２ページ分の原稿画像を分割して夫々別々のシートに出力する１ｔｏ２モード、原稿1枚から４ページ分の原稿画像を分割して夫々別々のシートに出力する１ｔｏ４モードを含む１ｔｏＮモードを有する画像形成装置の操作方法を実行する、コンピュータ読み出し可能なプログラムを記憶した記憶媒体であって、前記方法は、ユーザ操作により押下可能な選択ボタンを具備した操作画面を表示部に表示させる制御ステップを有し、前記制御ステップは、前記１ｔｏ２モードを選択する為の１ｔｏ２モード選択ボタン及び前記１ｔｏ４モードを選択する為の１ｔｏ４モード選択ボタンを含む１ｔｏＮモードにおけるレイアウトの種類をユーザにより選択させる為の選択ボタン、及び、１ｔｏＮモードで原稿１枚から複数枚のシートに分割出力される複数の分割画像の前記複数枚のシートに対する出力順序をユーザにより選択させる為のレイアウト順設定画面を前記表示部に表示させる為の指示を入力する詳細設定ボタン、を、前記表示部に表示させ、前記表示部で前記１ｔｏ２モード選択ボタンが選択され、前記詳細設定ボタンが押下された場合は、１枚の原稿の同一面上における左側の画像、右側の画像の順で、２枚のシートに分割出力させる第1の出力順序を選択する為の第１の選択ボタンと、１枚の原稿の同一面上における右側の画像、左側の画像の順で、２枚のシートに分割出力させる第２の出力順序を選択する為の第２の選択ボタンと、を含む、２つの選択ボタンを有するレイアウト順設定画面を前記表示部に表示させ、前記第1、第２の選択ボタンのうちの該レイアウト順設定画面で押下された選択ボタンが示す出力順序を前記１ｔｏ２モードにおける原稿１枚から分割される画像の出力順序として設定可能にし、前記表示部で前記１ｔｏ４モード選択ボタンが選択され、前記詳細設定ボタンが押下された場合は、１枚の原稿の同一面上における左上の画像、右上の画像、左下の画像、右下の画像の順で、４枚のシートに分割出力させる第３の出力順序を選択する為の第３の選択ボタンと、１枚の原稿の同一面上における右上の画像、左上の画像、右下の画像、左下の画像の順で、４枚のシートに分割出力させる第４の出力順序を選択する為の第４の選択ボタンと、１枚の原稿の同一面上における左上の画像、左下の画像、右上の画像、右下の画像の順で、４枚のシートに分割出力させる第５の出力順序を選択する為の第５の選択ボタンと、１枚の原稿の同一面上における右上の画像、右下の画像、左上の画像、左下の画像の順で、４枚のシートに分割出力させる第６の出力順序を選択する為の第６の選択ボタンと、を含む、４つの選択ボタンを有するレイアウト順設定画面を前記表示部に表示させ、前記第３、第４、第５、第６の選択ボタンのうちの該レイアウト順設定画面で押下された選択ボタンが示す出力順序を前記１ｔｏ４モードにおける原稿１枚から分割される画像の出力順序として設定可能にし、更に、前記表示部で前記１ｔｏ２モード選択ボタンが選択された場合に、前記１ｔｏ２モードで処理すべき原稿のうちの最終原稿の最終読込み面から１ページ分の画像を１個分割出力させる為の第７の選択ボタンと、前記１ｔｏ２モードで処理すべき原稿のうちの最終原稿の最終読込み面から１ページ分の画像を２個分割出力させる為の第８の選択ボタンと、を含む、２つの選択ボタンを有する最終原稿レイアウト設定画面を前記表示部に表示させ、前記第７、第８の選択ボタンのうちの該最終原稿レイアウト設定画面で押下された選択ボタンが示す画像の数を前記１ｔｏ２モードにおける最終原稿の最終読込み面から分割出力させる画像の数として設定可能にし、前記表示部で前記１ｔｏ４モード選択ボタンが選択された場合に、前記１ｔｏ４モードで処理すべき原稿のうちの最終原稿の最終読込み面から１ページ分の画像を１個分割出力させる為の第９の選択ボタンと、前記１ｔｏ４モードで処理すべき原稿のうちの最終原稿の最終読込み面から１ページ分の画像を２個分割出力させる為の第１０の選択ボタンと、前記１ｔｏ４モードで処理すべき原稿のうちの最終原稿の最終読込み面から１ページ分の画像を３個分割出力させる為の第１１の選択ボタンと、前記１ｔｏ４モードで処理すべき原稿のうちの最終原稿の最終読込み面から１ページ分の画像を４個分割出力させる為の第１２の選択ボタンと、を含む、４つの選択ボタンを有する最終原稿レイアウト設定画面を前記表示部に表示させ、前記第９、第１０、第１１、第１２の選択ボタンのうちの該最終原稿レイアウト設定画面で押下された選択ボタンが示す画像の数を前記１ｔｏ４モードにおける最終原稿の最終読込み面から分割出力させる画像の数として設定可能にすることを特徴とする。


【手続補正１６】
【補正対象書類名】明細書
【補正対象項目名】００１９
【補正方法】変更
【補正の内容】
【００１９】
本発明に係る記憶媒体では、４ページ分の原稿画像を１枚のシートの同一面上に出力する４ｉｎ１モードを含むＮｉｎ１モードと、原稿1枚から４ページ分の原稿画像を分割して夫々別々のシートに出力する１ｔｏ４モードを含む１ｔｏＮモードと、を有する画像形成装置の操作方法を実行する、コンピュータ読み出し可能なプログラムを記憶した記憶媒体であって、  前記方法は、ユーザ操作により押下可能な選択ボタンを具備した操作画面を選択的に表示部に表示させる制御ステップを有し、前記制御ステップは、前記４ｉｎ１モードを選択する為の４ｉｎ１モード選択ボタンを含むＮｉｎ１モードにおけるレイアウトの種類をユーザにより選択させる為の選択ボタン、及び、前記１ｔｏ４モードを選択する為の１ｔｏ４モード選択ボタンを含む１ｔｏＮモードにおけるレイアウトの種類をユーザにより選択させる為の選択ボタン、及び、各モードにおける詳細設定を行う為の設定画面を前記表示部に表示させる為の指示を入力する為の詳細設定ボタン、を、前記表示部に表示させ、前記表示部で１ｔｏ４モード選択ボタンが選択されて、前記詳細設定ボタンが押下された場合に、１枚の原稿の同一面上における左上の画像、右上の画像、左下の画像、右下の画像の順で、４枚のシートに分割出力させる第１の出力順序を選択する為の第１の選択ボタンと、１枚の原稿の同一面上における右上の画像、左上の画像、右下の画像、左下の画像の順で、４枚のシートに分割出力させる第２の出力順序を選択する為の第２の選択ボタンと、１枚の原稿の同一面上における左上の画像、左下の画像、右上の画像、右下の画像の順で、４枚のシートに分割出力させる第３の出力順序を選択する為の第３の選択ボタンと、１枚の原稿の同一面上における右上の画像、右下の画像、左上の画像、左下の画像の順で、４枚のシートに分割出力させる第４の出力順序を選択する為の第４の選択ボタンと、を含む、４つの選択ボタンを有する設定画面を前記表示部に表示させ、前記第１、第２、第３、第４の選択ボタンのうちの該設定画面で押下された選択ボタンが示す出力順序を前記１ｔｏ４モードにおける原稿１枚から分割される画像の出力順序として設定可能にし、前記表示部で前記４ｉｎ１モード選択ボタンが選択されて、前記詳細設定ボタンが押下された場合は、４ページ分の原稿画像の1ページ目をシートの左上に２ページ目をシートの右上に３ページ目をシートの左下に４ページ目をシートの右下に配置させる第1のレイアウト順を選択する為の第５の選択ボタンと、４ページ分の原稿画像の1ページ目をシートの右上に２ページ目をシートの左上に３ページ目をシートの右下に４ページ目をシートの左下に配置させる第２のレイアウト順を選択する為の第６の選択ボタンと、４ページ分の原稿画像の1ページ目をシートの左上に２ページ目をシートの左下に３ページ目をシートの右上に４ページ目をシートの右下に配置させる第３のレイアウト順を選択する為の第７の選択ボタンと、４ページ分の原稿画像の1ページ目をシートの右上に２ページ目をシートの右下に３ページ目をシートの左上に４ページ目をシートの左下に配置させる第４のレイアウト順を選択する為の第８の選択ボタンと、を含む４つの選択ボタンと共に、原稿向き自動検知���行うか否かをユーザにより選択可能にする為の原稿向き検知ボタンと、を有する設定画面を前記表示部に表示させ、前記第５、第６、第７、第８の選択ボタンのうちの該設定画面で押下された選択ボタンが示すレイアウト順を前記４ｉｎ１モードにおけるレイアウト順として設定可能にすると共に、前設定画面の前記原稿向き検知ボタンの押下により、前記４ｉｎ１モードで処理すべき原稿画像の向きを自動検知する設定と前記４ｉｎ１モードで処理すべき原稿画像の向きを自動検知しない設定とを切替可能にすることを特徴とする。


【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】削除
【補正の内容】
【手続補正２６】
【補正対象書類名】明細書
【補正対象項目名】００２９
【補正方法】削除
【補正の内容】
【手続補正２７】
【補正対象書類名】明細書
【補正対象項目名】００３０
【補正方法】削除
【補正の内容】
【手続補正２８】
【補正対象書類名】明細書
【補正対象項目名】００３１
【補正方法】削除
【補正の内容】
【手続補正２９】
【補正対象書類名】明細書
【補正対象項目名】００３２
【補正方法】削除
【補正の内容】
【手続補正３０】
【補正対象書類名】明細書
【補正対象項目名】００３３
【補正方法】削除
【補正の内容】
【手続補正３１】
【補正対象書類名】明細書
【補正対象項目名】００３４
【補正方法】削除
【補正の内容】
【手続補正３２】
【補正対象書類名】明細書
【補正対象項目名】００３５
【補正方法】削除
【補正の内容】
【手続補正３３】
【補正対象書類名】明細書
【補正対象項目名】００３６
【補正方法】削除
【補正の内容】
【手続補正３４】
【補正対象書類名】明細書
【補正対象項目名】００３７
【補正方法】削除
【補正の内容】
【手続補正３５】
【補正対象書類名】明細書
【補正対象項目名】００３８
【補正方法】削除
【補正の内容】
【手続補正３６】
【補正対象書類名】明細書
【補正対象項目名】００３９
【補正方法】削除
【補正の内容】
【手続補正３７】
【補正対象書類名】明細書
【補正対象項目名】００４０
【補正方法】削除
【補正の内容】
【手続補正３８】
【補正対象書類名】明細書
【補正対象項目名】００４１
【補正方法】削除
【補正の内容】
【手続補正３９】
【補正対象書類名】明細書
【補正対象項目名】００４２
【補正方法】削除
【補正の内容】
【手続補正４０】
【補正対象書類名】明細書
【補正対象項目名】００４３
【補正方法】削除
【補正の内容】
【手続補正４１】
【補正対象書類名】明細書
【補正対象項目名】００４４
【補正方法】削除
【補正の内容】
【手続補正４２】
【補正対象書類名】明細書
【補正対象項目名】００４５
【補正方法】削除
【補正の内容】
【手続補正４３】
【補正対象書類名】明細書
【補正対象項目名】００４６
【補正方法】削除
【補正の内容】
【手続補正４４】
【補正対象書類名】明細書
【補正対象項目名】００４７
【補正方法】削除
【補正の内容】
【手続補正４５】
【補正対象書類名】明細書
【補正対象項目名】００４８
【補正方法】削除
【補正の内容】
【手続補正４６】
【補正対象書類名】明細書
【補正対象項目名】００４９
【補正方法】削除
【補正の内容】
【手続補正４７】
【補正対象書類名】明細書
【補正対象項目名】００５０
【補正方法】削除
【補正の内容】
【手続補正４８】
【補正対象書類名】明細書
【補正対象項目名】００５１
【補正方法】削除
【補正の内容】
【手続補正４９】
【補正対象書類名】明細書
【補正対象項目名】００５２
【補正方法】削除
【補正の内容】
【手続補正５０】
【補正対象書類名】明細書
【補正対象項目名】００５３
【補正方法】削除
【補正の内容】
【手続補正５１】
【補正対象書類名】明細書
【補正対象項目名】００５４
【補正方法】削除
【補正の内容】
【手続補正５２】
【補正対象書類名】明細書
【補正対象項目名】００５５
【補正方法】削除
【補正の内容】
【手続補正５３】
【補正対象書類名】明細書
【補正対象項目名】００５６
【補正方法】削除
【補正の内容】
【手続補正５４】
【補正対象書類名】明細書
【補正対象項目名】００５７
【補正方法】削除
【補正の内容】
【手続補正５５】
【補正対象書類名】明細書
【補正対象項目名】００５８
【補正方法】削除
【補正の内容】
【手続補正５６】
【補正対象書類名】明細書
【補正対象項目名】００５９
【補正方法】削除
【補正の内容】
【手続補正５７】
【補正対象書類名】明細書
【補正対象項目名】００６０
【補正方法】削除
【補正の内容】
【手続補正５８】
【補正対象書類名】明細書
【補正対象項目名】００６１
【補正方法】削除
【補正の内容】
【手続補正５９】
【補正対象書類名】明細書
【補正対象項目名】００６２
【補正方法】削除
【補正の内容】
【手続補正６０】
【補正対象書類名】明細書
【補正対象項目名】００６３
【補正方法】削除
【補正の内容】
【手続補正６１】
【補正対象書類名】明細書
【補正対象項目名】０２１４
【補正方法】変更
【補正の内容】
【０２１４】
【発明の効果】
以上詳述したように、請求項１記載の発明に係る画像形成装置、請求項９記載の発明に係る画像形成システム、請求項１２記載の発明に係る画像形成装置の操作方法、及び請求項２０記載の記載の発明に係る記憶媒体によれば、２ｉｎ１モード及び４ｉｎ１モードを含む縮小レイアウトモード時において、ユーザーは所望の縮小レイアウトの種類とレイアウト順を表示部に表示される選択ボタンを押下して選択することができ、原稿の並び順を意識しなくても所望の縮小レイアウト出力を行うことが可能になる。


【手続補正６２】
【補正対象書類名】明細書
【補正対象項目名】０２１５
【補正方法】変更
【補正の内容】
【０２１５】
請求項２記載の発明に係る画像形成装置、請求項１０記載の発明に係る画像形成システム、請求項１３記載の発明に係る画像形成装置の操作方法、及び請求項２１記載の発明に係る記憶媒体によれば、１ｔｏ２モード及び１ｔｏ４モードを含む拡大レイアウトモード時において、ユーザーは拡大レイアウトの種類と画像記録の順序を表示部に表示される選択ボタンを押下して選択することができ、拡大レイアウトモードにおける白紙出力を防ぐ為の最終原稿の最終読込み面から分割出力させる画像の数の設定も前記表示部に表示される選択ボタンを押下して選択することができ、所望の拡大レイアウト出力を行うことが可能になる。
請求項３記載の発明に係る画像形成装置、請求項１１記載の発明に係る画像形成システム、請求項１４記載の発明に係る画像形成装置の操作方法、及び請求項２２記載の発明に係る記憶媒体によれば、ユーザーは、１ｔｏ４モードを含む拡大レイアウトモード時において、１ｔｏ４モードの選択と１ｔｏ４モードにおける画像記録の順序を表示部に表示される選択ボタンを押下して設定することができ、４ｉｎ１モードを含む縮小レイアウトモード時においては、４ｉｎ１モードの選択と４ｉｎ１モードにおけるレイアウト順を表示部に表示される選択ボタンを押下して設定できると共に、原稿向き自動検知を行うか否かの選択をも表示部に表示される選択ボタンを押下して設定することが出来る。